(57)【要約】【課題】各々独立した記録領域に同一内容のコンテンツが記録されている場合に、コピー可能回数が相対的に少ないコンテンツが生じないようにコピーを行うことが可能な複製装置を提供することである。【解決手段】コピー可能回数が設定されたコンテンツを、相異なる複数の記録媒体の何れか、又は、単一の記録媒体上に設けられた相異なる複数の記録領域の何れかから読み出し、着脱可能な記録媒体に書き込むディスクドライブ部３３０と、上記コピー手段が上記コンテンツを上記着脱可能な記録媒体に書き込んだ際、上記複数の記録媒体の各々、又は、上記複数の記録領域の各々に記録された上記コンテンツのうち、コピー可能回数が最も少ないコンテンツ以外のコンテンツのコピー可能回数を減じるドライブ制御部３２０と、を備えている。【選択図】図１
2012038376.tif 000002
【特許請求の範囲】
【請求項１】
コピー可能回数が設定されたコンテンツを、相異なる複数の記録媒体の何れか、又は、単一の記録媒体上に設けられた相異なる複数の記録領域の何れかから読み出し、着脱可能な記録媒体に書き込むコピー手段と、
上記コピー手段が上記コンテンツを上記着脱可能な記録媒体に書き込んだ際、上記複数の記録媒体の各々、又は、上記複数の記録領域の各々に記録された上記コンテンツのうち、コピー可能回数が最も少ないコンテンツ以外のコンテンツのコピー可能回数を減じるコピー制限手段と、を備えていることを特徴とする複製装置。
【請求項２】
上記コンテンツを、特定の記録媒体、又は、特定の記録領域から読み出し、上記着脱可能な記録媒体に記録する旨の指示をユーザーから受け付ける指示受付手段を更に備え、
上記コピー制限手段は、
上記特定の記録媒体、又は、上記特定の記録領域に記録されたコンテンツのコピー可能回数が予め定められた閾値よりも大きい場合、上記特定の記録媒体、又は、上記特定の記録領域に記録されたコンテンツのコピー可能回数を減じ、
そうでない場合、上記複数の記録媒体の各々、又は、上記複数の記録領域の各々に記録されたコンテンツのうち、コピー可能回数が最も少ないコンテンツ以外のコンテンツのコピー可能回を減じる、ことを特徴とする請求項１に記載の複製装置。
【請求項３】
上記コピー手段は、上記コンテンツをコピー不能なコンテンツとして上記着脱可能な記録媒体にコピーするものであり、
上記コピー制限手段は、上記複数の記録媒体の各々、又は、上記複数の記録領域の各々に記録されたコンテンツのコピー可能回数の合計が１だけ減るように、コピー可能回数が最も少ないコンテンツ以外のコンテンツのコピー可能回数を減じるものである、
ことを特徴とする請求項１または２に記載の複製装置。
【請求項４】
上記コピー手段は、上記コンテンツをｍ回コピー可能なコンテンツとして上記着脱可能な記録媒体にコピーするものであり（ｍは１以上の整数）、
上記コピー制限手段は、上記複数の記録媒体の各々、又は、上記複数の記録領域の各々に記録されたコンテンツのコピー可能回数の合計がｍ＋１だけ減るように、コピー可能回数が最も少ないコンテンツ以外のコンテンツのコピー可能回数を減じるものである、
ことを特徴とする請求項１または２に記載の複製装置。
【請求項５】
請求項１から４のいずれか１項に記載の複製装置と、
該複製装置と通信可能に接続された他の記録装置であって、上記複数の記録媒体、又は、上記単一の記録媒体が内蔵あるいは装填された記録装置と、を含む複製システム。
【請求項６】
複製装置の複製方法であって、
コピー可能回数が設定されたコンテンツを、相異なる複数の記録媒体の何れか、又は、単一の記録媒体上に設けられた相異なる複数の記録領域の何れかから読み出し、着脱可能な記録媒体に書き込むコピーステップと、
上記コピーステップにおいて上記コンテンツを上記着脱可能な記録媒体に書き込んだ際、上記複数の記録媒体の各々、又は、上記複数の記録領域の各々に記録された上記コンテンツのうち、コピー可能回数が最も少ないコンテンツ以外のコンテンツのコピー可能回数を減じるコピー制限ステップと、を含んでいることを特徴とする複製方法。
【請求項７】
コンピュータを請求項１から４までの何れか１項に記載の複製装置として動作させるためのプログラムであって、上記コンピュータを上記複製装置の各手段として機能させるプログラム
【請求項８】
請求項７に記載のプログラムを記録したコンピュータ読み取り可能な記録媒体。
【発明の詳細な説明】
【技術分野】
【０００１】
本発明は、記録媒体に記録されたコンテンツを、着脱可能な記録媒体にコピーする複製装置および複製方法に関する。また、そのような複製装置を含む複製システム、コンピュータをそのような複製装置として動作させるためのプログラム、および、そのようなプログラムが記録されている記録媒体に関する。
【背景技術】
【０００２】
いわゆるフルハイビジョンなどの高精細な表示が可能なテレビジョン受像機の普及と共に、フルハイビジョン番組などの大容量データを記録することができるＢｌｕ−ｒａｙディスク（ＢＤ）を搭載可能なレコーダ装置も一般に普及している。
【０００３】
ＢＤを初めとする光ディスクを搭載することができるレコーダ装置には、光ディスクよりもさらに大容量のデータを記録することができるハードディスクを内蔵するタイプ（ハイブリッドレコーダ）のレコーダ装置がある。
【０００４】
また、そのようなレコーダ装置の中には、複数のチューナーを備え、各チューナーで独立してコンテンツを受信することにより、そのコンテンツの複数の複製を記録（録画）可能なものもある。
【０００５】
このようなレコーダ装置で、ダビング１０のコピー制限が課されているコンテンツの２つの複製をハードディスクに記録した場合、各複製について９回のコピーと１回のムーブとが許容される。つまり、そのコンテンツのコピー可能回数は、コピー１８回＋ムーブ２回の合計２０回となる。ただし、レコーダ装置は、各複製について独立してコピー可能回数（コピー許諾回数）をユーザーに提示するため、ユーザーはそのコンテンツについての合計コピー可能回数（第１の複製のコピー可能回数と第２の複製のコピー可能回数との和）を容易に把握することができない。
【０００６】
このような問題に鑑みてなされた発明が特許文献１に開示されている。特許文献１には、録画したコンテンツをディスクドライブに装填されたディスクにコピー可能なテレビが開示されている。このテレビは、同一コンテンツの２つの複製が記録されている場合に、何れの複製をコピー元として利用するかをユーザーに選択させることができる。
【０００７】
そして、特許文献１のテレビは、合計コピー可能回数（第１の複製のコピー可能回数と第２の複製のコピー可能回数との和）を表示する。これにより、テレビは、合計コピー可能回数をユーザーに容易に把握させることができるようになっている。
【先行技術文献】
【特許文献】
【０００８】
【特許文献１】特開２００９−２６０５５９号公報（平成２１年１１月５日公開）
【発明の概要】
【発明が解決しようとする課題】
【０００９】
しかしながら、特許文献１の構成では、ある複製をコピー元とするコピーを繰り返すと、合計コピー可能回数（第１の複製のコピー可能回数と第２の複製のコピー可能回数との和）が１以上であるにも関わらず、その複製をコピー元とするコピーを行うことができなくなり、ユーザーにとっての利便性が阻害されるという問題が生じていた。
【００１０】
すなわち、例えば、特許文献１の段落００３７に記載されているように、同一コンテンツの２つの複製（コンテンツＡ）の一方が自機器（テレビ）に記録されており、且つ、他方の複製が他機器（テレビとネットワークを介して接続された他機器）に記録されているものとする。この場合、コピーを実行して一方の複製のコピー可能回数が０になってしまうと、その後、他方の複製をコピー元とするコピーしかできなくなる。つまり、テレビと他機器との間のネットワークに問題があれば、テレビがコンテンツＡのコピーの指示をユーザーから受け取っても、コピーを行うことができなくなる。
【００１１】
本発明は、上記問題点に鑑みてなされたものであり、その主たる目的は、ダビング１０等のコピー制限の要請を満たしつつ、ユーザーにとって利便性の高い複製装置を実現することにある。
【課題を解決するための手段】
【００１２】
本発明に係る複製装置は、上記課題を解決するために、コピー可能回数が設定されたコンテンツを、相異なる複数の記録媒体の何れか、又は、単一の記録媒体上に設けられた相異なる複数の記録領域の何れかから読み出し、着脱可能な記録媒体に書き込むコピー手段と、上記コピー手段が上記コンテンツを上記着脱可能な記録媒体に書き込んだ際、上記複数の記録媒体の各々、又は、上記複数の記録領域の各々に記録された上記コンテンツのうち、コピー可能回数が最も少ないコンテンツ以外のコンテンツのコピー可能回数を減じるコピー制限手段と、を備えていることを特徴としている。
【００１３】
上記の構成によれば、コピー手段によって、コンテンツの着脱可能な記録媒体への書き込みが行われた際に、コピー制限手段によって、上記複数の記録媒体の各々、又は、上記複数の記録領域の各々に記録された同一コンテンツのうち、コピー可能回数が最も少ないコンテンツ以外のコンテンツのコピー可能回数が減じられる。したがって、他の記録媒体、又は、他の記録領域に記録された同一コンテンツのコピー可能回数が１以上であるにも関わらず、特定の記録媒体、又は、特定の記録領域に記録された当該コンテンツのコピー可能回数が０となり、当該特定の記録媒体、又は、当該特定の記録領域から着脱可能な記録媒体への当該コンテンツのコピーが行なえなくなるという事態を生じることがない。
【００１４】
なお、上記複数の記録媒体、及び、上記単一の記録媒体は、当該複製装置に内蔵あるいは装填された記録媒体であっても良いし、当該複製装置と通信可能に構成された他の記録装置に内蔵あるいは装填された記録媒体であっても良い。
【００１５】
本発明に係る複製装置は、上記コンテンツを、特定の記録媒体、又は、特定の記録領域から読み出し、上記着脱可能な記録媒体に記録する旨の指示をユーザーから受け付ける指示受付手段を更に備え、上記コピー制限手段は、上記特定の記録媒体、又は、上記特定の記録領域に記録されたコンテンツのコピー可能回数が予め定められた閾値よりも大きい場合、上記特定の記録媒体、又は、上記特定の記録領域に記録されたコンテンツのコピー可能回数を減じ、そうでない場合、上記複数の記録媒体の各々、又は、上記複数の記録領域の各々に記録されたコンテンツのうち、コピー可能回数が最も少ないコンテンツ以外のコンテンツのコピー可能回を減じることが好ましい。
【００１６】
上記の構成によれば、上記コピー制限手段は、ユーザーによって指定された記録媒体に記録されたコンテンツのコピー可能回数が予め定められた閾値よりも大きい場合には、そのコピー可能回数を減じ、そうでない場合には、上記複数の記録媒体の各々、又は、上記複数の記録領域の各々に記録された同一コンテンツのうち、コピー可能回数が最も少ないコンテンツ以外のコンテンツのコピー可能回を減じる。これによって、ユーザーによって指定された記録媒体に記録されたコンテンツのコピー可能回数を優先的に減じつつ、さらに、ユーザーによって指定されたコンテンツのコピー可能回数が予め定められた閾値よりも小さい場合には、ユーザーによって指定されたコンテンツのコピー可能回数が少なくなることを防ぐことができる。
【００１７】
本発明に係る複製装置では、さらに、上記コピー手段は、上記コンテンツをコピー不能なコンテンツとして上記着脱可能な記録媒体にコピーするものであり、上記コピー制限手段は、上記複数の記録媒体の各々、又は、上記複数の記録領域の各々に記録されたコンテンツのコピー可能回数の合計が１だけ減るように、コピー可能回数が最も少ないコンテンツ以外のコンテンツのコピー可能回数を減じるものであることが好ましい。
【００１８】
上記の構成によれば、上記コンテンツを、コピー不能（No More Copy）なコンテンツとして着脱可能な記録媒体にコピーすることができる。
【００１９】
本発明に係る複製装置では、さらに、上記コピー手段は、上記コンテンツをｍ回コピー可能なコンテンツとして上記着脱可能な記録媒体にコピーするものであり（ｍは１以上の整数）、上記コピー制限手段は、上記複数の記録媒体の各々、又は、上記複数の記録領域の各々に記録されたコンテンツのコピー可能回数の合計がｍ＋１だけ減るように、コピー可能回数が最も少ないコンテンツ以外のコンテンツのコピー可能回数を減じるものであることが好ましい。
【００２０】
上記の構成によれば、上記コンテンツを、ｍ回コピー可能なコンテンツとして着脱可能な記録媒体にコピーすることができる。すなわち、上記複数の記録媒体、又は、上記複数の記録領域に記録されているコンテンツを親コンテンツ、上記着脱可能な記録媒体に記録されているコンテンツを子コンテンツとすると、上記着脱可能な記録媒体から孫コンテンツを作製することができる。
【００２１】
なお、上記複製装置と、上記複製装置と通信可能に接続された他の記録装置であって、上記複数の記録媒体、又は、上記単一の記録媒体が内蔵あるいは装填された記録装置と、を含む複製システムも本発明の範疇に含まれる。このような複製システムにおいても、上記複製装置と同様の効果を奏する。
【００２２】
本発明に係る複製方法は、コピー可能回数が設定されたコンテンツを、相異なる複数の記録媒体の何れか、又は、単一の記録媒体上に設けられた相異なる複数の記録領域の何れかから読み出し、着脱可能な記録媒体に書き込むコピーステップと、上記コピーステップにおいて上記コンテンツを上記着脱可能な記録媒体に書き込んだ際、上記複数の記録媒体の各々、又は、上記複数の記録領域の各々に記録された上記コンテンツのうち、コピー可能回数が最も少ないコンテンツ以外のコンテンツのコピー可能回数を減じるコピー制限ステップと、を含んでいることを特徴としている。上記の構成によれば、上記複製装置と同様の効果を奏する。
【００２３】
また、本発明に係る複製装置を動作させるためのプログラムであって、コンピュータを上記の各手段として機能させることを特徴とするプログラム、および、それらのプログラムを記録したコンピュータ読み取り可能な記録媒体についても本発明の範疇に含まれる。
【発明の効果】
【００２４】
以上のように、本発明によれば、ダビング１０等のコピー制限の要請を満たしつつ、ユーザーにとって利便性の高い複製装置および複製方法を実現することができる。
【図面の簡単な説明】
【００２５】
【図１】実施形態に係るレコーダ装置の要部構成を示すブロック図である。
【図２】ドライブ部に備えられた記憶部の初期化処理を示す図であり、（ａ）は記憶部の初期化の際の表示装置における表示の一例を示し、（ｂ）は初期化処理後の記憶部を模式的に示している。
【図３】光ディスクの登録処理を示す図であり、（ａ）は光ディスクの登録処理の際の表示装置における表示の一例を示し、（ｂ）は光ディスクの登録処理後の記憶部を模式的に示している。
【図４】実施形態に係るレコーダ装置における予約登録処理を示す図であり、（ａ）は予約登録処理後の記憶部の状態を模式的に示し、（ｂ）は予約登録処理後の記憶部およびマイディスクの状態を模式的に示し、（ｃ）は予約登録処理の際の表示装置における表示の一例を示している。
【図５】マイディスクが搭載されている状態での録画処理を示す図であり、（ａ）は録画処理後の記憶部およびマイディスクの状態を模式的に示し、（ｂ）は録画処理後の記憶部の状態を模式的に示している。
【図６】コンテンツ１を録画した際の各記憶部の状態を示す図であり、（ａ）は領域１におけるコンテンツの記録状態に対応するディスク１の記録状態の対応関係を示し、（ｂ）はコンテンツ１を記録した際のマップテーブルを示し、（ｃ）はコンテンツ１を記録した際のタイトル管理テーブルを示している。
【図７】実施形態に係るレコーダ装置においてマイディスクが搭載されていない状態での録画処理を示す図であり、（ａ）は録画処理後の記憶部の状態を模式的に示し、（ｂ）は録画処理後の記憶部の状態を模式的に示している。
【図８】コンテンツ２を録画した際の各記憶部の状態を示す図であり、（ａ）は領域１におけるコンテンツの記録状態に対応するディスク１の記録状態の対応関係を示し、（ｂ）はコンテンツ２を記録した際のマップテーブルを示し、（ｃ）はコンテンツ２を記録した際のタイトル管理テーブルを示している。
【図９】コンテンツの同期処理後の記憶部およびディスク１の状態を示す図である。
【図１０】コンテンツ２を同期処理した際の各記憶部の状態を示す図であり、（ａ）は領域１におけるコンテンツの記録状態に対応するディスク１の記録状態の対応関係を示し、（ｂ）はコンテンツ２を同期処理させた際のマップテーブルを示し、（ｃ）はコンテンツ２を同期処理させた際のタイトル管理テーブルを示している。
【図１１】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示し、（ｂ）はコンテンツ２をコンテンツ３に続くように仮想ディスクイメージを変更した状態を示し、（ｃ）はコンテンツ２を同期処理させた際のマップテーブルを示し、（ｄ）はコンテンツ２を同期処理させた際のタイトル管理テーブルを示している。
【図１２】実施形態に係るレコーダ装置における予約登録処理を示す図であり、（ａ）は予約登録処理後の記憶部の状態を模式的に示し、（ｂ）は予約登録処理後の記憶部およびマイディスク（ディスク１、ディスク２）の状態を模式的に示し、（ｃ）は予約登録処理の際の表示装置における表示の一例を示している。
【図１３】マイディスクが搭載されている状態での録画処理を示す図であり、（ａ）は録画処理後の記憶部およびマイディスク（ディスク１、ディスク２）の状態を模式的に示し、（ｂ）は録画処理後の記憶部の状態を模式的に示している。
【図１４】マイディスク（ディスク１）が搭載されている状態でコンテンツ１を録画した際の各記憶部の状態を示す図であり、（ａ）は領域１におけるコンテンツの記録状態に対応するディスク１、仮想ディスクイメージ１および仮想ディスクイメージ２の記録状態の対応関係を示し、（ｂ）はコンテンツ１を記録した際のマップテーブルを示し、（ｃ）はコンテンツ１を記録した際のタイトル管理テーブルを示している。
【図１５】実施形態に係るレコーダ装置においてマイディスクが搭載されていない状態での録画処理を示す図であり、（ａ）は録画処理後の記憶部の状態を模式的に示し、（ｂ）は録画処理後の記憶部の状態を模式的に示している。
【図１６】マイディスクが搭載されていない状態でコンテンツ１を録画した際の各記憶部の状態を示す図であり、（ａ）は領域１におけるコンテンツの記録状態に対応するディスク１、仮想ディスクイメージ１および仮想ディスクイメージ２の記録状態の対応関係を示し、（ｂ）はコンテンツ１を記録した際のマップテーブルを示し、（ｃ）はコンテンツ１を記録した際のタイトル管理テーブルを示している。
【図１７】図１に示すレコーダ装置が備えるドライブ制御部の要部構成を示すブロック図である。
【図１８】ユーザーによって指定されたコピー対象コンテンツのコピー可能回数に余裕がある場合に、該コピー対象コンテンツを、１枚のマイディスクにダビングするダビング処理を模式的に示す図である。
【図１９】図１に示すレコーダ装置が備える記憶部の異なる領域に同じコンテンツが記録されている場合に、該コンテンツを１枚のマイディスクにダビングするダビング処理を模式的に示す図である。
【図２０】図１に示すレコーダ装置が備える記憶部の異なる領域に記憶された同一コンテンツを、ダビング先のマイディスクから複数回のコピーが可能となるように、１枚のマイディスクにダビングするダビング処理を模式的に示す図である。
【図２１】図１に示すレコーダ装置が備える記憶部に記録された同一コンテンツを、ダビング先のマイディスクから複数回のコピーが可能となるように、合計２枚のマイディスクにダビングするダビング処理を模式的に示す図である。
【図２２】図１に示すレコーダ装置が備える記憶部の異なる領域に記憶されているコンテンツのダビング可能回数が、それぞれｓ回、ｐ回である場合に、該コンテンツをダビング可能回数がｑ回のコンテンツとしてダビングするダビング処理を示す図である。
【図２３】図１に示すレコーダ装置が備える記憶部に記憶されたコピー対象コンテンツを、ダビング先のマイディスクから複数回のコピーが可能となるように、ダビングするダビング処理を模式的に示す図である。
【図２４】ダビング可能回数の減少数をユーザーが個別に設定するための設定画面の一例を示す図である。（ａ）は、ダビング可能回数の減少数をユーザーが直接入力する設定画面の一例を示す図であり、（ｂ）は、ダビング可能回数の減少数を直接入力した後の確認画面の一例を示す図である。
【図２５】自動的に設定されたダビング可能回数の減少数をユーザーに提示するための提示画面の一例を示すである。
【図２６】録画画質に基づいて行う選定コンテンツの設定処理の流れを示すフローチャートである。
【図２７】タイトル名に基づいて行う選定コンテンツの設定処理の流れを示すフローチャートである。
【図２８】管理ユーザー情報に基づいて行う選定コンテンツの設定処理の流れを示すフローチャートである。
【発明を実施するための形態】
【００２６】
〔実施形態１〕
本発明に係るレコーダ装置（複製装置）の構成および当該レコーダ装置の動作の概要について、以下に説明する。なお、本実施形態に係るレコーダ装置は、録画対象番組（コンテンツ）を光ディスクに記録する記録機能だけでなく、記録媒体に記録されているコンテンツおよび外部より取得したコンテンツを再生する再生機能を有するレコーダ装置である。
【００２７】
なお、本実施形態では、本発明の最大の特徴点である、同一のコンテンツが複数録画されている場合におけるレコーダ装置のダビング処理動作の説明に先立って、レコーダ装置の構成およびレコーダ装置の基本的な録画動作について以下に説明する。
【００２８】
＜レコーダ装置１００の構成＞
本実施形態に係るレコーダ装置の構成について、図１を参照しつつ以下に説明する。図１は、レコーダ装置１００の要部構成を示すブロック図である。
【００２９】
図１に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００３０】
ドライブ部３００は、従来の光ディスクドライブ装置が備えている機能に加え、以下の新規な機能を有している。すなわち、（１）ユーザーにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行なう。以下、このようなバックエンド部２００およびドライブ部３００の構成例について、以下に順に説明する。
【００３１】
バックエンド部２００は、図１に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図１に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００３２】
ドライブ部３００は、図１に示すように、インターフェース部３１０、ドライブ制御部（コピー制限手段）３２０、ディスクドライブ部３３０および記憶部３４０を備えている。また、図１に示すように、インターフェース部３１０、ドライブ制御部３２０、ディスクドライブ部３３０および記憶部３４０は、バスラインを介して互いに接続されている。
【００３３】
本明細書等では、記憶部３４０における各領域に対して対応付けられた光ディスク、すなわち自身の有するメディアＩＤが記憶部３４０に記録されている光ディスクを「マイディスク」と称する。
【００３４】
バックエンド部２００およびドライブ部３００の備える各部材について、以下に説明する。
【００３５】
（チューナー部２１０、エンコーダ部２２０）
チューナー部２１０は、チューナー部２１０ａおよびチューナー部２１０ｂを含んで構成されており、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００３６】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００３７】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００３８】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いても良い。
【００３９】
（バックエンド制御部２４０）
バックエンド制御部２４０は、レコーダ装置１００におけるコンテンツデータの記録および再生全般を制御する。
【００４０】
ストリーム処理部２３０において復元したコンテンツデータを、ドライブ部３００に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００４１】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００４２】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００４３】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００４４】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００４５】
なお、表示装置に表示する画像に付加情報（例えば、字幕、タイトルリスト、メニュー情報、アイコン等）を重畳する場合には、画像処理部２７０において、高品質化処理を施した動画像データに対して必要な付加情報を重畳する。
【００４６】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００４７】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡ（Parallel AT attachment）を用いても良い。
【００４８】
インターフェース部３１０は、入力されたデータをインターフェース部２９０を介してバックエンド部２００に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００４９】
なお、本実施形態では、インターフェース部２９０、３１０がＳＡＴＡである場合を例に挙げて説明する。
【００５０】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００５１】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００５２】
インターフェース部２９０、３１０がＡＴＡインターフェースである場合、バックエンド制御部２４０からの書き込み命令および読み出し命令は、ＡＴＡコマンドとなる。
【００５３】
また、本実施形態では、所定の領域に対するデータの書き込み命令を実現するために、記憶部３４０におけるいずれの領域（後述するマイディスク）に対してデータを書き込むのかを表す情報（ディスク指定情報）をコマンドに含めてドライブ制御部３２０に出力するようにすることが好ましい。もちろん、ディスク指定情報を含めたコマンドを用いる以外にも、ディスク指定情報を示すコマンドを予め出力して記憶部３４０の記録対象領域（マイディスク）を指定した後に、書き込み命令および書き込み対象データを表すコマンドをドライブ制御部３２０に出力するようにしても良い。いずれの場合であっても、書き込み命令は、ディスク指定情報とデータを書き込むべき領域を指定するアドレス（第１の領域指定情報）とを含むことになる。なお、書き込みの対象となるデータは、書き込み命令と共にバックエンド部２００からドライブ部３００へと出力される。
【００５４】
なお、これは書き込み命令に限るものではなく、読み出し命令についても同様である。
【００５５】
また、後述するように、ドライブ制御部３２０は、マイディスクがディスクドライブ部３３０に装填されると、記憶部３４０の装填されたマイディスク（ここでは、「コピー先ディスク」と称する）に対応する領域に記録されているコンテンツデータを、コピー先ディスクにコピー（ダビング）する。ただし、該コンテンツデータと同一内容のコンテンツデータが他の領域に記録されている場合、他の領域に記録されているコンテンツデータをコピー先ディスクにコピーすることもある。
【００５６】
ドライブ制御部３２０は、コピー先ディスクに対応する領域に記録されているコンテンツデータと、他の領域に記録されているコンテンツデータと、のいずれをコピー元としてコピーするかを決定するために以下のように構成されている。
【００５７】
＜ドライブ制御部３２０の構成＞
ドライブ制御部３２０の詳細な構成について、図１７を参照しながら以下に説明する。図１７は、ドライブ制御部３２０の要部構成を示すブロック図である。
【００５８】
図１７に示すように、ドライブ制御部３２０は、タイトル情報取得部１０、コピー元候補領域特定部２０、及び、判定部３０、を備えている。
【００５９】
タイトル情報取得部１０は、コピー先ディスクにコピーすべき各コンテンツのタイトル情報を取得する。タイトル情報取得部１０は、具体的には、記憶部２８０のコピー先ディスクに関するタイトル管理領域を参照することにより各タイトル情報を取得する。
【００６０】
コピー元候補領域特定部２０は、タイトル情報取得部１０が取得した各タイトル情報のコンテンツデータについて、該コンテンツデータと同一内容のコンテンツデータが記録されている記憶部３４０内の全領域を特定する。
【００６１】
判定部３０は、タイトル情報取得部１０が取得した各タイトル情報のコンテンツデータについて、該コンテンツデータを記憶部３４０のどの領域からコピーするかを判定する。なお、詳しい判定方法は後述する。
【００６２】
ドライブ制御部３２０は、判定部３０がコピー元と判定した領域のコンテンツデータをディスクドライブ部３３０に装填されているコピー先ディスクにコピーする。すなわち、ドライブ制御部３２０は、判定部３０がコピー元と判定した領域からコンテンツデータを読み出し、ディスクドライブ部３３０に装填されている光ディスクに該コンテンツデータを記録するようディスクドライブ部３３０を制御する。
【００６３】
（ディスクドライブ部３３０）
ディスクドライブ部３３０は、ドライブ制御部３２０からの指示に基づいて動作し、装填されている光ディスクからのデータの読み出し、または光ディスクに対するデータの書き込みを実行する。
【００６４】
ディスクドライブ部３３０は、装填されている光ディスクからデータを読み出したり、光ディスク対してデータを書き込んだりするための光ピックアップ部などを備えている。
【００６５】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００６６】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００６７】
バックエンド制御部２４０は、レコーダ装置１００におけるコンテンツデータの記録および再生全般を制御する。
【００６８】
ストリーム処理部２３０において復元したコンテンツデータを、ドライブ部３００に装填されている光ディスクに対して記録する場合、バックエンド制御部２４０は、光ディスクに書き込むための書き込み命令を、インターフェース部２９０を介してドライブ制御部３２０に出力すると共に、書き込み対象とするコンテンツデータをバッファ部２５０から読み出してインターフェース部２９０を介してドライブ部３００に対して出力する。
【００６９】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００７０】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００７１】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図２（ａ）および（ｂ）および図３（ａ）および（ｂ）を参照して説明する。レコーダ装置１００における事前設定は、記憶部３４０の初期化処理と、記憶部３４０に対する光ディスクの登録処理の２つに大別することができる。
【００７２】
＜記憶部３４０の初期化処理＞
記憶部３４０の初期化処理について、図２（ａ）および（ｂ）を参照しつつ説明する。図２（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【００７３】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００７４】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図２（ａ）に示すような画像を表示することが好ましい。
【００７５】
なお、記憶部３４０において仮想的に分割される領域の数は、例えば「ｎ個（枚）」などのようにユーザーにより明示的に指示された数であっても良いし、ユーザーの所望する録画画質に応じて設定される数であっても良い。
【００７６】
図２（ｂ）は、初期化処理後の記憶部３４０を示している。図２（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００７７】
管理領域は、図２（ｂ）に示すように、領域１〜領域ｎを管理するマイディスク管理領域と、マイディスク管理領域を管理するメモリ管理領域と、に分けることができる。
【００７８】
マイディスク管理領域には、領域１〜領域ｎの各領域を管理する管理情報が記録されている。図２（ｂ）では、便宜上、領域１を管理する管理情報の記録されている領域を「エントリ１」と称し、以下同様に領域２〜ｎを管理する管理情報の記録されている領域をエントリ２〜ｎと称する。
【００７９】
領域１を管理するエントリ１には、エントリ番号、割り当てフラグ、記録媒体指定情報としてのメディアＩＤ情報、割り当てエリア情報、メディアキー情報およびマップ情報が記録されている。これらの各情報について以下に説明する。
【００８０】
「エントリ番号」は、いずれの領域を管理するのかを示す情報である。例えば、エントリ１は、領域１を管理する管理情報であるため、エントリ番号としては「１」を示す情報が記録されている。
【００８１】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００８２】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００８３】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていても良い。
【００８４】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００８５】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【００８６】
また、メモリ管理領域には、図２（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００８７】
なお、記憶部３４０を領域１〜領域ｎに仮想的に分割した時に生じる余りの領域を予備領域として活用するようにしても良い。
【００８８】
＜光ディスクの登録処理＞
次に、記憶部３４０に対する光ディスクの登録処理について、図３（ａ）および（ｂ）を参照しつつ説明する。図３（ａ）および（ｂ）は、光ディスクの登録処理を示す図であり、（ａ）は光ディスクの登録処理の際の表示装置における表示の一例を示した図であり、（ｂ）は光ディスクの登録処理後の記憶部３４０を模式的に示した図である。
【００８９】
光ディスクの登録処理とは、記憶部３４０において仮想的に分割されている各領域を管理するエントリに対して、光ディスクのメディアＩＤを記録する処理である。
【００９０】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００９１】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【００９２】
なお、上述した光ディスクの登録処理は、読み出したメディアＩＤを割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【００９３】
また、割り当てフラグが「０」であるエントリが複数存在する場合には、いずれのエントリに対してメディアＩＤを記録するのかをユーザーが選択できるようにしても良い。この場合、ドライブ制御部３２０は、ユーザーにより指定されたエントリに対してメディアＩＤを記録する。
【００９４】
なお、メディアＩＤをエントリに記録する際には、表示装置に図３（ａ）に示すような画像を表示するようにすることが好ましい。
【００９５】
図３（ｂ）は、メディアＩＤ「ａａａ」を有する光ディスクをエントリ１に記録した場合における光ディスクの登録後の記憶部３４０の状態を示している。
【００９６】
光ディスクのメディアＩＤをエントリ１に記録した場合、図３（ｂ）に示すように、光ディスクはエントリ１により管理される領域１に対して対応付けられることになる。
【００９７】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【００９８】
＜コンテンツの予約録画動作＞
次に、上述した事前設定の完了しているレコーダ装置１００におけるコンテンツ録画動作について、以下に説明する。なお、以下では、レコーダ装置１００が、ある領域に記録したコンテンツをその領域に対応付けられているディスクに同期する場合について説明することにし、レコーダ装置１００が、ある領域に記録したコンテンツを、そのコンテンツを記録した領域以外の領域に対応付けられているディスクに対しても同期する場合については、後に詳述することにする。
【００９９】
レコーダ装置１００におけるコンテンツ録画動作について、図４（ａ）〜（ｃ）〜図１１（ａ）〜（ｃ）を参照して以下に説明する。なお、ここでは、コンテンツ録画動作として、予約録画処理を例に挙げて説明する。
【０１００】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【０１０１】
（予約登録処理）
まず、レコーダ装置１００における予約登録処理について、図４（ａ）〜（ｃ）を参照しつつ以下に説明する。図４（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【０１０２】
予約登録処理とは、記憶部２８０および光ディスクに対して予約情報を登録する処理である。予約登録処理については、記憶部３４０の領域１に対応付けられたディスク１を装填している場合を例に挙げて説明する。
【０１０３】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図４（ａ）に示すように、「録画チャンネル」、「録画年月日」および「録画時間」などの番組指定情報と共に、「記録対象マイディスク」の情報を含む。以下、記録対象マイディスク情報として、装填されているマイディスクのメディアＩＤを例に挙げて説明するが、マイディスクを識別可能な情報であれば他の情報であっても良い。なお、予約情報に含まれる各情報は、ユーザーが入力するようにしても良いし、電子番組表においてユーザーが選択した番組を表す番組情報に基づいて設定するようにしても良い。
【０１０４】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図４（ｂ））。このとき、ディスク１には、既にメディアＩＤは記録されているため、メディアＩＤについては記録しなくても良い。
【０１０５】
なお、予約情報の設定の際にユーザーが記録対象マイディスクを選択することができるようにしても良い。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１０６】
図４（ｃ）には、記憶部３４０の領域１に対応付けられたディスク１を装填している場合に予約登録した際の表示装置に表示する画像の一例を示している。
【０１０７】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図５（ａ）および（ｂ）を参照しつつ以下に説明する。図５（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【０１０８】
コンテンツ１の録画が完了すると、図５（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【０１０９】
次に、コンテンツ１を記憶部３４０の領域１およびディスク１に記録した際の記憶部３４０および記憶部２８０の状態について図６（ａ）〜（ｃ）を参照しつつ以下に説明する。図６（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１１０】
ここで、一般的には、記憶部３４０の領域１とディスク１とのデータ容量は異なる。そのため、領域１では、物理アドレスとは別に、ディスク１におけるアドレス（第１の領域指定情報）と一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１１１】
図６（ａ）には、記憶部３４０の領域１における仮想ディスクイメージを示している。図６（ａ）に示すように、記憶部３４０の領域１において、物理アドレス（第２の領域指定情報）「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１１２】
続いて、図６（ａ）において示した物理アドレスと仮想アドレスとの関連付けを実現するためのマップテーブルについて、図６（ｂ）を参照しつつ説明する。
【０１１３】
マップテーブルは、記憶部３４０のマイディスク管理領域におけるマップ情報として記録されている。マップテーブルは、図６（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１１４】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１１５】
マップテーブルは、コンテンツ１が領域１に記録されると共に内容が更新される。記憶部３４０の領域１が図６（ａ）に示す状態である場合のマップテーブルを、図６（ｂ）に示す。図６（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１１６】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１１７】
なお、図６（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１１８】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図６（ｃ）を参照して説明する。なお、タイトル管理領域は、記憶部３４０において仮想的に分割されている領域の数だけ記憶部２８０に設けられている。
【０１１９】
タイトル管理テーブルには、図６（ｃ）に示すように、各コンテンツを示すタイトル名に対して、コンテンツの再生所要時間、コンテンツの録画画質、コンテンツのダビング可能回数（コピー可能（許諾）回数、最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１２０】
図６（ｂ）に示したマップテーブルを設定したときのタイトル管理テーブルの一例を、図６（ｃ）に示している。このとき、タイトル１におけるダビング可能回数は、コンテンツ１をディスク１へ記録したため、残り１０回から１回減算されて「９」回となっている。
【０１２１】
なお、上記説明では、２００８年７月より日本でのデジタルテレビ放送にて運用が開始された著作権保護のためのコピー制御方法である「ダビング１０」におけるダビング回数制御と同様な方法を例にとり説明を行ったが、もちろんこれに限定されるものではなく、例えば他の実施可能かつ運用可能なコピー制御があれば、この他のコピー制御方法に沿ったダビング回数制御を行っても良い。また、以下の説明におけるダビング回数制御においても同様である。
【０１２２】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図７（ａ）および（ｂ）を参照しつつ以下に説明する。図７（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１２３】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３３０にディスク１が装填されていないため、バックエンド制御部２４０からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１２４】
コンテンツ２の録画が終了すると、図７（ｂ）に示すように、バックエンド制御部２４０は記憶部２８０における予約情報管理領域からコンテンツ２の予約録画を示す予約情報を消去する。
【０１２５】
次に、コンテンツ２を記憶部３４０の領域１に記録した際の記憶部３４０および記憶部２８０の状態について図８（ａ）〜（ｃ）を参照しつつ以下に説明する。図８（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１２６】
図８（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１２７】
コンテンツ２が領域１に記録されると共に、記憶部３４０のエントリ１におけるマップ情報に記録されているマップテーブルも更新される。記憶部３４０の領域１が図８（ａ）に示す状態のマップテーブルを、図８（ｂ）に示す。図８（ｂ）に示すように、図６（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１２８】
また、図８（ｃ）には、図８（ｂ）に示したマップテーブルが設定されたときのタイトル管理テーブルの一例を示している。図８（ｃ）に示すように、タイトル管理テーブルでは、図６（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２におけるダビング可能回数は「１０」回のままであり、同期状態は未同期を示す情報である。
【０１２９】
（コンテンツの同期処理）
次に、記憶部３４０に記録されたコンテンツであってマイディスクに対して記録されていないコンテンツを、マイディスクに対して記録する同期処理について、図９〜図１１（ａ）〜（ｃ）を参照して以下に説明する。
【０１３０】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図９）。すなわち、コンテンツ２は同期状態となる。
【０１３１】
ドライブ制御部３２０は、ディスク１に対するコンテンツ２の書き出しが完了すると、バックエンド部２００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１３２】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図９）。なお、図９は、コンテンツの同期処理後の記憶部３４０およびディスク１の状態を示す図である。
【０１３３】
次に、記憶部３４０の領域１に記録されているコンテンツ２をディスク１に書き出した際の記憶部３４０および記憶部２８０の状態について図１０（ａ）〜（ｃ）を参照しつつ以下に説明する。図１０（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１３４】
図１０（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１３５】
コンテンツ２の同期処理が完了すると、図１０（ｂ）に示すように、エントリ１のマップ情報に記録されているマップテーブルの同期フラグが、コンテンツがマイディスクに記録されていることを表す「１」となる。また、図１０（ｃ）に示すように、記憶部２８０に記録されているディスク１のタイトル管理テーブルにおいて、タイトル２におけるダビング可能回数が１減算されて「９」回となると共に、同期状態が同期を示す情報に変更される。
【０１３６】
次に、ディスク１において「０ｘ２５０」を先頭アドレスとするコンテンツ（コンテンツ３）が既に記録されている場合のコンテンツ２の同期処理について、図１１（ａ）〜（ｄ）を参照して以下に説明する。
【０１３７】
図１１（ａ）〜（ｄ）は、コンテンツ２を同期処理した際の記憶部３４０および記憶部２８０の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１３８】
図１１（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１３９】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１４０】
このとき、領域１のマップテーブルについても、図１１（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１４１】
同様に、図１１（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および録画画質）が登録される。このとき、コンテンツ３は、ディスク１にのみ記録されているコンテンツであり、ダビングすることはできないため、タイトル３におけるダビング可能回数は表示されない。
＜同一コンテンツの複数のマイディスクに対する予約録画動作＞
以上が、レコーダ装置１００が、ある領域に記録したコンテンツをその領域に対応付けられているディスクに同期する場合の動作である。
【０１４２】
以下では、２００８年７月より日本でのデジタルテレビ放送にて運用が開始された著作権保護のためのコピー制御方法である「ダビング１０」への対応を念頭に、レコーダ装置１００が、ある領域に記録したコンテンツを、そのコンテンツを記録した領域以外の領域に対応付けられているディスクに対しても同期する場合の動作について、図１２（ａ）〜（ｃ）〜図１６（ａ）〜（ｃ）を参照して説明する。
【０１４３】
具体的には、レコーダ装置１００に対して、複数のユーザーが別々に、同一のコンテンツを予約登録した場合のコンテンツ録画動作について説明する。
【０１４４】
なお、上記の＜コンテンツの予約録画動作＞において説明した動作と同様の動作については、適宜説明を省略し、同一コンテンツに対して複数のマイディスクが指定される場合に特有の動作について説明を行う。
【０１４５】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【０１４６】
（予約登録処理）
まず、すでに同期先としてマイディスク１を指定した録画予約が設定されているコンテンツ１に対して、同期先としてマイディスク２を指定した録画予約が設定される場合のレコーダ装置１００における予約登録処理について、図１２（ａ）〜（ｃ）を参照しつつ以下に説明する。
【０１４７】
なお、マイディスク２は、記憶部３４０における領域２に対して対応付けられたマイディスクである。
【０１４８】
図１２（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１およびマイディスク２の状態を模式的に示した図であり、（ｃ）は予約登録処理の際の表示装置における表示の一例を示した図である。
【０１４９】
以下では、予約登録処理については、記憶部３４０の領域１に対応付けられたディスク１が装填されている場合を例に挙げて説明する。
【０１５０】
なお、説明の便宜上、同期先としてマイディスク１を指定したコンテンツ１の予約登録を示す予約情報を予約情報１と呼び、同期先としてマイディスク２を指定したコンテンツ２の予約登録を示す予約情報を予約情報２と呼ぶことにする。また、マイディスク２のメディアＩＤは「ｂｂｂ」であるとする。
【０１５１】
ユーザーが操作入力部を介して予約情報２を入力すると、バックエンド制御部２４０は、予約情報２を記憶部２８０の予約情報管理領域に記録すると共に、すでに記録されている予約情報１との比較を行う。
【０１５２】
上記の予約情報は、図１２（ａ）に示すように、「録画チャンネル」、「録画年月日」および「録画時間」と共に、「記録対象マイディスク」の情報を含んでいる。
【０１５３】
バックエンド制御部２４０は、具体的には、「録画チャンネル」、「録画年月日」および「録画時間」などについて、予約情報１と予約情報２との比較を行う。
【０１５４】
上記比較の結果、予約情報１により録画されるコンテンツ１と、予約情報２により録画されるコンテンツ２とが同一のコンテンツであると判定された場合には、バックエンド制御部２４０は、記憶部２８０の予約情報管理領域に、コンテンツ１とコンテンツ２とが同一のコンテンツであることを示す重複情報を記録する。
【０１５５】
なお、予約情報の比較に用いられる情報は、上記の情報に限定されるものではなく、番組タイトル、キーワード識別子などの情報について比較を行っても良い。
【０１５６】
また、予約情報が３つ以上ある場合であって、バックエンド制御部２４０による比較の結果、それぞれの予約情報により録画されるコンテンツ（コンテンツ１、コンテンツ２、コンテンツ３、．．．）が同一であると判定された場合には、バックエンド制御部２４０は、記憶部２８０の予約情報管理領域に、各コンテンツが同一であることを示す重複情報を記録する。
【０１５７】
バックエンド制御部２４０は、予約情報を記憶部２８０に記録すると共に、ドライブ制御部３２０に対して、ドライブ部３００に装填されているディスク１に対して、ディスク１を同期先として指定している予約情報を書き込むように指示しても良い。その場合、ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図１２（ｂ））。このとき、ディスク１には、既にメディアＩＤは記録されているため、メディアＩＤについては記録しなくても良い。
【０１５８】
なお、予約情報の設定の際にユーザーが記録対象マイディスクを選択することができるようにしても良い。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１５９】
図１２（ｃ）には、記憶部３４０の領域１に対応付けられたディスク１を装填している場合に予約登録した際の表示装置に表示する画像の一例を示している。図１２（ｃ）に示すように、装填されているマイディスク（ディスク１）に対して予約録画がされていることを表示すると共に、装填されていないマイディスク（ディスク２）に対しても同一のコンテンツが予約録画されている状態であることを示す表示がなされることが好ましい。
【０１６０】
（マイディスクが装填されている場合の録画処理）
続いて、記憶部２８０の予約情報管理領域に記録されている予約情報に含まれているメディアＩＤのうち、何れかのメディアＩＤを有するマイディスクがドライブ部３００に装填されている場合の録画処理について、図１３（ａ）および（ｂ）を参照しつつ以下に説明する。図１３（ａ）および（ｂ）は、レコーダ装置１００においてマイディスクが装填されている状態での録画処理を示す図であり、（ａ）は録画処理後の記憶部３４０の状態を模式的に示した図であり、（ｂ）は録画処理後の記憶部２８０の状態を模式的に示した図である。
【０１６１】
記憶部２８０の予約管理領域に、予約情報により録画されるコンテンツが同一であることを示す重複情報が記憶されている場合、バックエンド制御部２４０は、重複情報の記録されている予約情報の中から、１つの予約情報を選択し、選択した予約情報に基づいて、コンテンツの録画を実行する。
【０１６２】
従って、他の重複情報の記録されている予約情報に基づいたコンテンツの録画は実行されない。これにより、同一コンテンツを複数の領域に記憶することによる記憶部２８０のメモリ容量の浪費を防ぐことができる。
【０１６３】
なお、予約情報の選び方については、特に限定されるものではない。例えば、重複情報の記録されている予約情報のうち、最初に予約登録がされた予約情報を選ぶようにしても良いし、コンテンツを記録すべき対象として設定されているマイディスクのうち、ドライブ部３００に装填されているマイディスクに対してコンテンツを記録するように設定されている予約情報を選ぶようにしても良い。
【０１６４】
以下では、具体的に、ディスク１を同期先として指定した予約情報に基づいてコンテンツの録画が実行される場合を例に挙げて説明を行う。
【０１６５】
コンテンツ１の録画が完了すると、図１３（ｂ）に示すように、バックエンド制御部２４０は、ディスク１を同期先として指定したコンテンツ１の予約録画を示す予約情報とディスク２を同期先として指定したコンテンツ２（コンテンツ１と同一）の予約録画を示す予約情報とを記憶部２８０における予約情報管理領域から消去する。また、ディスク１の予約情報管理領域に予約情報が書き込まれている場合には、コンテンツ１のディスク１への記録が完了すると、ドライブ制御部３２０はディスク１の予約情報管理領域に記録されている予約情報を消去するようにディスクドライブ部３３０に対して指示する。
【０１６６】
次に、コンテンツ１を記憶部３４０の領域１およびディスク１に記録した際の記憶部３４０および記憶部２８０の状態について図１４（ａ）〜（ｃ）を参照しつつ以下に説明する。図１４（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１、仮想ディスクイメージ１および仮想ディスクイメージ２の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１６７】
ここで、一般的には、記憶部３４０の領域１とディスク１とのデータ容量は異なり、また領域２とディスク２とのデータ容量は異なる。そのため、領域１では、物理アドレスとは別に、ディスク１におけるアドレス（第１の領域指定情報）と一致するような仮想アドレスが割り当てられている。同様に、領域２では、物理アドレスとは別に、ディスク２におけるアドレスと一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１もしくはディスク２に記録されているかのように扱うことができる。
【０１６８】
図１４（ａ）は、記憶部３４０の領域１および領域２における仮想ディスクイメージ（それぞれ仮想ディスクイメージ１および仮想ディスクイメージ２と呼ぶ）を示している。図１４（ａ）に示すように、記憶部３４０の領域１において、物理アドレス（第２の領域指定情報）「０ｘ０００」を先頭アドレスとしてコンテンツ１（データ容量：ＸＧＢ）が記録されており、仮想ディスクイメージ１上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１６９】
一方で、上記のように、バックエンド制御部２４０は、重複情報の記録されている予約情報の中から、１つの予約情報（本例においてはディスク１を指定した予約情報）を選択し、選択した予約情報に基づいて、コンテンツの録画を実行するため、コンテンツ１と同一であると判断されたコンテンツ２は記憶部３４０の領域２には記憶されない（図１４（ａ））。
【０１７０】
しかしながら、以下に説明するように、仮想ディスクイメージ２上では、コンテンツ２は仮想アドレス「０ｘ０５０」を先頭アドレスとして記録される。すなわち、コンテンツ２をディスク２に対して書き込む場合、ドライブ制御部３２０は、ディスクドライブ部３３０に対して、ディスク２のアドレス「０ｘ０５０」を表すセクタからコンテンツ２を書き込むように指示する。
【０１７１】
なお、上記の例では、ディスク１を指定したコンテンツ１に対する仮想アドレスとディスク２を指定したコンテンツ２に対する仮想アドレスを共に「０ｘ０５０」としたが、ディスク１およびディスク２に、すでにコンテンツが書き込まれているような場合には、両者の仮想アドレスは上記とは異なる場合もある。
【０１７２】
次に、図１４（ａ）において示した物理アドレスと仮想アドレスとの関連付けを実現するためのマップテーブルについて、図１４（ｂ）を参照しつつ説明する。
【０１７３】
マップテーブルは、記憶部３４０のマイディスク管理領域におけるマップ情報として記録されている。マップテーブルは、図１４（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１７４】
なお、説明の便宜上、エントリ１に記録されたマップ情報であるマップテーブルをマップテーブル１と呼び、エントリ２に記録されたマップ情報であるマップテーブルをマップテーブル２と呼ぶことにする。
【０１７５】
上述したように、コンテンツ１とコンテンツ２はバックエンド制御部２４０により同一のコンテンツであると判定されているので、図１４（ｂ）に示すように、コンテンツ２に対するメモリマップには、コンテンツ１に対するメモリマップに割り当てられたアドレスおよびデータサイズと同一のアドレスおよびデータサイズが割り当てられている。
【０１７６】
すなわち、バックエンド制御部２４０により同一と判定された複数のコンテンツの中で実際には録画が実行されなかったコンテンツにおけるメモリマップには、実際に録画が実行されたコンテンツのメモリマップに割り当てられた情報と同一の情報が割り当てられる。
【０１７７】
マップテーブル１は、コンテンツ１が領域１に記録されると共に内容が更新され、マップテーブル２は、コンテンツ２と同一であると判断されたコンテンツ１が領域１に記録されると共に内容が更新される。
【０１７８】
記憶部３４０の領域１および領域２が図１４（ａ）に示す状態である場合のマップテーブルを、図１４（ｂ）に示す。図１４（ｂ）に示すように、マップテーブル１は、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。マップテーブル２は、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。
【０１７９】
また、領域１からディスク１への書き込みが完了すると共に、マップテーブルにおける同期フラグが、コンテンツがマイディスクに記録されていることを表す「１」となる。一方、領域２からディスク２への書き込みは未だ行われていないので、マップテーブルにおける同期フラグは「０」である。
【０１８０】
また、コンテンツ１が領域１に記録されると共に、記憶部２８０におけるディスク１のタイトル管理領域にタイトル管理情報として記録されているタイトル管理テーブルが更新される。また、コンテンツ１と同一のコンテンツであるコンテンツ２に対応するディスク２のタイトル管理領域にタイトル管理情報として記録されているタイトル管理テーブルが更新される。コンテンツ１およびコンテンツ２に関する情報が設定されるコンテンツ管理領域に記録されているタイトル管理テーブルについて、図６（ｃ）を参照して説明する。なお、タイトル管理領域は、記憶部３４０において仮想的に分割されている領域の数だけ記憶部２８０に設けられている。
【０１８１】
タイトル管理テーブルには、図６（ｃ）に示すように、各コンテンツを示すタイトル名に対して、コンテンツの再生所要時間、コンテンツの録画画質、コンテンツのダビング可能回数（ここでは最大で１０とする）および同期状態を示す情報が関連付けられて記録されている。なお、コンテンツ１を示すタイトルをタイトル１として表記し、コンテンツ２を示すタイトルをタイトル２として表記するが、本例の場合、コンテンツ１とコンテンツ２は同一であるので、タイトル１とタイトル２は実質的には同一である。同様に、コンテンツ３〜コンテンツｎを示すタイトルをタイトル３〜タイトルｎとして表記する。
【０１８２】
図１４（ｂ）に示したマップテーブルを設定したときのタイトル管理テーブルの一例を、図１４（ｃ）に示している。このとき、タイトル１におけるダビング可能回数は、コンテンツ１をディスク１に同期したため、残り１０回から１回減算されて「９」回となっている。一方で、タイトル２におけるダビング可能回数は、コンテンツ２が未だディスク２に同期されていないため、残り１０回のままである。
【０１８３】
また、タイトル１における同期状態は、コンテンツ１をディスク１へ記録したため「同期」となるが、タイトル２における同期状態は、コンテンツ２が未だディスク２へ記録されていないため、「未同期」となる。
【０１８４】
（マイディスクが装填されていない場合の録画処理）
続いて、記憶部２８０の予約情報管理領域に記録されている予約情報に含まれているメディアＩＤのうち、何れのメディアＩＤを有するマイディスクもドライブ部３００に装填されていない場合の録画処理について、図１５（ａ）および（ｂ）を参照しつつ以下に説明する。図１５（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１８５】
レコーダ装置１００において、ドライブ部３００にコンテンツが記録されるべき何れのディスクも装填されていない場合であっても、バックエンド制御部２４０は当該コンテンツが記録されるべき何れかのディスクに対して記録するようにドライブ制御部３２０に対して指示する。
【０１８６】
以下では、バックエンド制御部２４０がディスク１に対してコンテンツ１を記録するようにドライブ制御部３２０に対して指示する場合を例に説明を行う。
【０１８７】
バックエンド制御部２４０からの指示を受けたドライブ制御部３２０は、ドライブ部３００にディスク１が装填されていないため、バックエンド制御部２４０からのディスク１への書き込み命令を記憶部３４０の領域１への書き込み命令に変換し、コンテンツ１を領域１に記録する。このとき、ディスク１はドライブ部３００に装填されていないため、ディスク１に対してコンテンツ１を記録する処理は実行されない。
【０１８８】
コンテンツ１の録画が終了すると、図１５（ｂ）に示すように、バックエンド制御部２４０は記憶部２８０における予約情報管理領域からコンテンツ１およびコンテンツ１と同一であるコンテンツ２の予約録画を示す予約情報を消去する。
【０１８９】
次に、コンテンツ１を記憶部３４０の領域１に記録した際の記憶部３４０および記憶部２８０の状態について図１６（ａ）〜（ｃ）を参照しつつ以下に説明する。図１６（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１９０】
コンテンツ１が領域１に記録されると共に、記憶部３４０のエントリ１におけるマップ情報に記録されているマップテーブル１およびエントリ２におけるマップ情報に記録されているマップテーブル２も更新される。記憶部３４０の領域１が図１６（ａ）に示す状態のマップテーブル１およびマップテーブル２を、図１６（ｂ）に示す。
【０１９１】
図１６（ｂ）に示すように、マップテーブル１およびマップテーブル２は、図１４（ｂ）に示したマップテーブル１およびマップテーブル２と同じであり、コンテンツ１と同一であると判定されたコンテンツ２についてのメモリマップはコンテンツ１と同じ「０ｘ０００」と設定され、データサイズとしてもコンテンツ１と同じＸＧＢが設定される。
【０１９２】
また、領域１からディスク１への書き込みおよび領域２からディスク２への書き込みのいずれも実行されないため、マップテーブル１におけるコンテンツ１の同期フラグおよびマップテーブル２におけるコンテンツ２の同期フラグは、何れも、コンテンツがマイディスクに記録されていないことを表す「０」となっている。
【０１９３】
また、図１６（ｃ）には、図１６（ｂ）に示したマップテーブルが設定されたときのタイトル管理テーブルの一例を示している。図１６（ｃ）に示すように、タイトル管理テーブルでは、図１４（ｃ）に示したコンテンツ１を示すタイトル１のタイトル管理情報に加えて、コンテンツ２を示すタイトル２のタイトル管理情報が加えられる。このとき、タイトル１は、ディスク１に対して記録されていないため、タイトル１におけるダビング可能回数は「１０」回のままであり、同期状態は未同期を示す情報である。また、タイトル２は、ディスク２に対して記録されていないため、タイトル２におけるダビング可能回数は「１０」回のままであり、同期状態は未同期を示す情報である。
【０１９４】
（コンテンツの同期処理）
記憶部３４０に記録されたコンテンツであってマイディスクに対して記録されていないコンテンツを、マイディスクに対して記録する同期処理については、すでに説明した通りである。
【０１９５】
すなわち、あるディスクがドライブ部３００に装填されると、ドライブ制御部３２０は、当該ディスクに対応したエントリのマップテーブルを参照して、同期フラグが「０」であるコンテンツがあるか否かを判定する。同期フラグが「０」であるコンテンツが存在する場合、ドライブ制御部３２０は、記憶部３４０の当該領域に記録されている当該コンテンツを、当該ディスクに記録する（書き出す）ようにディスクドライブ部３３０に対して指示する。ディスクドライブ部３３０は、ドライブ制御部３２０からの指示を受けて記憶部３４０の当該領域に記録されている当該コンテンツを当該ディスクに書き出す。これによって、記憶部３４０の当該領域に記録されている当該コンテンツが当該ディスクにも記録されている状態になる。すなわち、当該コンテンツは同期状態となる。
【０１９６】
ドライブ制御部３２０は、当該ディスクに対する当該コンテンツの書き出しが完了すると、バックエンド部２００に対して当該コンテンツの同期処理が完了したことを通知する。バックエンド制御部２４０は、この通知を受けて、記憶部２８０における当該ディスクのタイトル管理領域に記録されている当該タイトル管理テーブルを更新する。
【０１９７】
＜同一コンテンツからのダビング処理＞
本実施形態に係るレコーダ装置１００では、チューナー部２１０ａおよびチューナー部２１０ｂが、同一コンテンツを受信し、受信したコンテンツを記憶部３４０の異なる領域に録画することができる。したがって、記憶部３４０に設けられた複数の領域に同一コンテンツ（同一コンテンツの異なる複製）が存在する状態が起こりえる。
【０１９８】
同一コンテンツが記憶部３４０の複数の領域に録画されている場合において、同一コンテンツをマイディスクへダビングするダビング処理の詳細について以下に説明する。
【０１９９】
なお、本項では、コンテンツのコピー制御方法（いわゆる「ダビング１０」）を考慮したコンテンツのダビング処理について説明する。そこで、ダビング処理の詳細な説明に先立ち、「ダビング１０」の詳細について、以下に説明する。
【０２００】
「ダビング１０」は、２００８年７月より日本でのデジタルテレビ放送にて運用が開始された著作権保護のためのコピー制御方法である。ダビング１０適用下においては、ダビング１０対応録画機のハードディスク等の内蔵記録媒体に録画されたダビング１０対応コンテンツは、ＢＤやＤＶＤなどの着脱可能な記録媒体に対して、コピー９回＋移動（ムーブ）１回までダビングすることが可能となっている。
【０２０１】
ダビング１０における「コピー」とは、録画されたコンテンツを１世代目とすると、２世代目の作成を９回までに制限することであり、２世代目から３世代目の作成（いわゆる孫コピー）は一切禁止となっている。また、「ムーブ」とは、１世代目から２世代目を作成した後、当該１世代目を消去することである。
【０２０２】
レコーダ装置１００において、予約録画したコンテンツに対してこのようなコピー制御が適用される場合には、マイディスクまたは他の記録領域に対するコンテンツの９回までのコピーおよび１０回目にあたる１回のムーブが可能である。
【０２０３】
なお、本項では、まず、下記の条件（１）から（３）を満たす場合のダビング処理について説明する。条件（１）から（３）を満たさない場合のダビング処理の詳細については、後述する。
【０２０４】
条件１）記憶部３４０（単一の記録媒体）に設けられた２以上の領域（記録領域）の各々に同一コンテンツが録画されていること。
【０２０５】
条件２）ダビング可能回数の合計に余裕があり、上記２以上の領域の何れかからそのコンテンツをダビングすることができること。
【０２０６】
条件３）ダビング処理の対象として指定された（例えば、ユーザーによって指定された）マイディスクにダビングに必要な容量が確保されていること。例えば、コンテンツのサイズが１ＧＢである場合には、ダビング処理の対象として指定されたマイディスクに１ＧＢ以上の書き込み可能な領域が確保されていること。
【０２０７】
なお、条件（２）において、ダビング可能回数の合計とは、上記２以上の領域の各々に録画された同一コンテンツのコピー可能回数の和のことを指し、ダビング可能回数の合計に余裕があるとは、ダビング可能回数の合計が２以上であることを指す。なお、ダビング可能回数の合計が１である場合は、ムーブ処理のみ可能である（ムーブ処理を行うと、記憶部３４０からそのコンテンツが削除される）。
【０２０８】
図１８は、ユーザーによって指定された、記憶部３４０の領域１に録画されたコピー対象コンテンツのダビング可能回数が予め定められた閾値よりも大きい場合、すなわち、ダビング可能回数に余裕がある場合に、該コピー対象コンテンツを、１枚のマイディスク（マイディスク１）にダビングするダビング処理を模式的に示す図である。ドライブ制御部３２０は、図１８に示すように、記憶部３４０の領域１に録画されているコピー対象コンテンツであるコンテンツ３のダビング可能回数に余裕がある場合、該コピー対象コンテンツをこれ以上のコピーが不可能（Ｎｏ  Ｍｏｒｅ  Ｃｏｐｙ）なコンテンツとしてマイディスク１にダビングする。
【０２０９】
図１９は、記憶部３４０に複数の領域（領域１および領域２）に同じコンテンツ３が録画されている場合に、コンテンツ３を１枚のマイディスク（マイディスク１）にダビングするダビング処理を模式的に示す図である。図１９に示すように、記憶部３４０の領域１に録画されているコンテンツ３のダビング可能回数に余裕がない場合（以下、「ダビング可能回数に余裕がない」とは、例えば、「ダビング可能回数が所定の閾値（ここでは、「１」とする）以下である」ことを意味する）には、コンテンツ３と同一の領域２に録画されているコンテンツ３をこれ以上のコピーが不可能（Ｎｏ  Ｍｏｒｅ  Ｃｏｐｙ）なコンテンツとしてマイディスク１にダビングする。なお、図１９においてｐは２以上の整数である。
【０２１０】
記憶部３４０の領域１に録画されているコンテンツ２のダビング可能回数が１回であり、領域２に録画されているコンテンツ２のダビング可能回数がｐ回である場合、領域１に録画されているコンテンツ２はダビングされず、領域２に録画されているコンテンツ２がダビング先のディスク２にこれ以上のコピーが不可能（Ｎｏ  Ｍｏｒｅ  Ｃｏｐｙ）なコンテンツとしてダビングされる。このとき、領域２に録画されているコンテンツ２のダビング可能回数を１回減らす。すなわち、ダビング処理が終了した後の領域２に録画されているコンテンツ２のダビング可能回数は、ｐ−１回になる。
【０２１１】
次に、ドライブ制御部３２０のダビング処理の流れについて説明する。
【０２１２】
まず、タイトル情報取得部１０は、装填されているマイディスクに対応する記憶部３４０の領域に記録されている各コンテンツ（コピー対象コンテンツ）のタイトル情報を記憶部２８０のタイトル管理領域から取得し、取得した各タイトル情報をコピー元候補領域特定部２０へ供給する。
【０２１３】
コピー元候補領域特定部２０は、タイトル情報取得部１０が取得した各タイトル情報について、該タイトル情報と同一のタイトル情報がタイトル管理領域に記録されている（すなわち、該タイトル情報のコンテンツデータと同一内容のコンテンツデータが記憶部３４０の対応する領域に記録されている）他のマイディスクを特定する。コピー元候補領域特定部２０は、各タイトル情報について、装填されているマイディスクに対応する領域と該タイトル情報について特定した他のマイディスクに対応する領域とを示す（すなわち、該タイトル情報のコンテンツデータが記録されている全領域を示す）領域情報を判定部３０に通知する。
【０２１４】
判定部３０は、タイトル情報取得部１０が取得した各タイトル情報のコンテンツデータについて、当該タイトル情報に関する領域情報が複数の領域を示す場合に記憶部３４０のどの領域からコンテンツデータをコピーするかを以下のアルゴリズムに従って判定する。なお、以下では、どの領域からコピーするかを判定する対象となっているコンテンツを「コピー対象コンテンツ」と記載している。
【０２１５】
判定部３０は、まず、装填されているマイディスクに対応する領域のコピー対象コンテンツをコピー元とするダビング可能回数に余裕があるか否かを装填されているマイディスクに関するタイトル管理領域を参照することにより判定する。
【０２１６】
コピー元のコピー対象コンテンツのダビング可能回数に余裕があると判定した場合には、ドライブ制御部３２０は、装填されているマイディスクに対応する領域からコピー対象コンテンツをダビングするダビング処理を行い、当該領域をコピー元とするコピー対象コンテンツのダビング可能回数を１だけ減らす。すなわち、ドライブ制御部３２０は、当該領域に対応するマイディスクに関するタイトル管理情報に含まれる、当該コピー対象コンテンツの「タイトル名」と関連づけられた「ダビング」の値を１減らす。例えば、マイディスクが「ディスク１」であってコピー対象コンテンツが「コンテンツ１」である場合、ディスク１のタイトル管理情報に含まれる「タイトル１」と関連づけられた「ダビング」の値を１減らすことになる。
【０２１７】
コピー元のコピー対象コンテンツのダビング可能回数に余裕がないと判定した場合には、ドライブ制御部３２０は、ダビング可能回数に余裕のある同一コンテンツが他の領域に存在するか否かを、他の領域に対応する各マイディスクに関するタイトル管理領域を参照することにより判定する。ダビング可能回数に余裕のある同一コンテンツが他の領域に存在しないと判定した場合には、ダビングを行うことなくダビング処理を終了する。
【０２１８】
ダビング可能回数に余裕のがある同一コンテンツが他の領域に存在すると判定した場合には、ドライブ制御部３２０は、ダビング可能回数に余裕がある領域から同一コンテンツをダビングするダビング処理を行い、当該領域をコピー元とする同一コンテンツのダビング可能回数を１だけ減らす。
【０２１９】
なお、ダビング先のマイディスクが１枚の場合を例に挙げて説明したが、例えば、ダビング先のマイディスクが２枚である場合には、他の領域に録画されている同一コンテンツをマイディスクにダビングする度に、当該領域をコピー元とする同一コンテンツのダビング可能回数を１減らすので、ダビング可能回数が２減ることになる。
【０２２０】
なお、同一コンテンツが他の領域に録画されていない場合、及び、他の領域に録画されている同一コンテンツのダビング可能回数に余裕がないと判定した場合に、ダビングを行うことなくダビング処理を終了する構成を示したが、本発明はこれに限定されるものではない。例えば、コピー対象コンテンツのダビング可能回数に余裕がない旨を表示すると共に、ダビング処理を続行するか否かをユーザーに問い合わせるユーザーインターフェースを表示する構成を採用しても良い。
【０２２１】
なお、予め記憶部３４０の領域１に録画されているコピー対象コンテンツ、及び、他の領域（例えば、領域２）に録画されている同一コンテンツを検索し、装填されているマイディスクに対応する領域をコピー元とするコンテンツのダビング可能回数に余裕があるか否かを判定する前に、コンテンツが録画されている記憶部３４０内の全領域を特定するものとしたが、本実施形態はこれに限定されない。すなわち、装填されているマイディスクに対応する領域をコピー元とするコピー対象コンテンツのダビング可能回数に余裕がないと判定した場合にのみ、同一コンテンツが録画されている他の領域を特定するようにしても良い。
【０２２２】
以上のように、レコーダ装置１００は、装填されているマイディスクに対応する領域をコピー元とするコピー対象コンテンツのダビング可能回数に余裕がない場合、コピー対象コンテンツのダビング可能回数に余裕のある他の領域をコピー元としてダビングする。したがって、各領域に録画されているコンテンツのダビング可能回数の合計には余裕があるにも関わらず、特定の領域に録画されているコンテンツのダビング可能回数が０になっていまう（すなわち、ムーブによるダビングが行われてしまい、ユーザーが意図しないにもかかわらず、コピー対象コンテンツがダビング処理後に削除されてしまう）ことを回避することができる。
【０２２３】
〔実施形態２〕
以上が、レコーダ装置１００におけるダビング１０に具体的に対応したダビング処理についての説明であるが、本発明はこれに限定されるものではない。具体的には、ダビング１０に替わるダビング制御方法が運用されるような場合であっても、本発明を適用することができる。
【０２２４】
例えば、光ディスク等へのコピーにおいて、これ以上のコピーが不可能（Ｎｏ  Ｍｏｒｅ  Ｃｏｐｙ）なコンテンツとしてのコピー（従って、孫コピーは不可）以外のコピー方法が許可されるような場合には、このコピー制御方法に沿ったダビング回数制御を行っても良い。
【０２２５】
また、ダビング１０運用下ではあるが、コピー先のメディアがＢＤなどの光ディスクメディア以外であり、そのメディアに対しては、これ以上のコピーが不可能（Ｎｏ  Ｍｏｒｅ  Ｃｏｐｙ）なコンテンツとしてのコピー（従って、孫コピーは不可）以外のコピー方法が実施可能な場合である場合には、このコピー制御方法に沿ったダビング回数制御を行っても良い。
【０２２６】
前者の一例として、ディスクメディアへコンテンツをコピーする場合に、複数回コピー可能なコンテンツとしてコピー可能な（従って、孫コピーも可能）コピー制御方法が運用されており、録画予約するコンテンツに対してこのコピー制御方法が適用されている場合であっても、本件は実施可能である。
【０２２７】
＜同一コンテンツからのダビング処理＞
次に、複数の同一コンテンツが、記憶部３４０の異なる領域に録画されている場合において、同一コンテンツをマイディスクへダビングするダビング処理の詳細について以下に説明する。
【０２２８】
なお、本項では、まず、下記の条件（４）から（６）を満たす場合のダビング処理について説明する。条件（４）から（６）を満たさない場合のダビング処理の詳細については、後述する。
【０２２９】
条件４）記憶部３４０（単一の記録媒体）に設けられた２以上の領域（記録領域）の各々に同一コンテンツが録画されていること。
【０２３０】
条件５）ダビング可能回数の合計に余裕があり、上記２以上の領域の何れかからそのコンテンツをダビングすることができること。
【０２３１】
条件６）ダビング処理の対象として指定された（例えば、ユーザーによって指定された）マイディスクにダビングに必要な容量が確保されていること。例えば、コンテンツのサイズが１ＧＢである場合には、ダビング処理の対象として指定されたマイディスクに１ＧＢ以上の書き込み可能な領域が確保されていること。
【０２３２】
以下では、記憶部３４０の複数の領域に同一コンテンツが録画されている場合に、同一コンテンツを１枚のマイディスクへダビングするするダビング処理について図２０を参照して説明する。図２０は、記憶部３４０の複数の領域（領域１および領域２）に録画された同じコンテンツ３を、１枚のマイディスク（マイディスク１）に複製可能なコンテンツとしてダビングするダビング処理を模式的に示す図である。
【０２３３】
図２０に示すように、マイディスク１にコピーされたコンテンツ３は、これ以上のコピーが不可能（Ｎｏ  Ｍｏｒｅ  Ｃｏｐｙ）なコンテンツではなく、マイディスク１に基づくダビングがｑ回（コピー（ｑ−１）回＋ムーブ１回）まで可能なコンテンツである。なお、ｐは２以上の整数、ｑは１以上の整数であり、ｐ＞ｑであるとする。
【０２３４】
図２０に示すように、記憶部３４０の領域１に録画されているコンテンツ３のダビング可能回数が１回であり、領域２に録画されているコンテンツ３のダビング可能回数がｐ回である場合、領域１に録画されているコンテンツ３はダビングされず、領域２に録画されているコンテンツ３がダビング先のマイディスク１にダビング可能回数がｑ回のコンテンツとしてダビングされる。このとき、領域２に録画されているコンテンツ３のダビング可能回数をｑ回減らす。すなわち、ダビング処理が終了した後の領域２に録画されているコンテンツ３のダビング可能回数は、ｐ−ｑ回になる。
【０２３５】
次に、ドライブ制御部３２０のダビング処理の流れについて説明する。
【０２３６】
ここでは、図２０に示すように、ダビング先のマイディスクからｑ回複製（ｑ−１回のコピー及び１回のムーブ）が可能なコンテンツとしてダビングするダビング処理を行う場合を例に挙げて説明する。
【０２３７】
ドライブ制御部３２０において、コピー対象コンテンツを元とするダビング可能回数に余裕があるか否かを判定するまでの処理は、実施形態１で説明した処理と同じであるため、説明を省略する。
【０２３８】
コピー元のコピー対象コンテンツのダビング可能回数に余裕があると判定した場合には、ドライブ制御部３２０は、装填されているマイディスクに対応する領域からコピー対象コンテンツを、ダビング先のマイディスクからｑ回のコピーが可能となるように、ダビングするダビング処理を行い、コピー対象コンテンツのダビング可能回数をｑ回減らす。すなわち、ドライブ制御部３２０は、当該領域に対応するマイディスクに関するタイトル管理情報に含まれる、当該コピー対象コンテンツの「タイトル名」と関連づけられた「ダビング」の値を１減らす。例えば、マイディスクが「ディスク１」であってコピー対象コンテンツが「コンテンツ３」である場合、ディスク１のタイトル管理情報に含まれる「タイトル３」と関連づけられた「ダビング」の値を１減らすことになる。
【０２３９】
コピー元のコピー対象コンテンツのダビング可能回数に余裕がないと判定した場合には、ドライブ制御部３２０は、他の領域にダビング可能回数に余裕のある同一コンテンツが存在するか否かを、他の領域に対応する各マイディスクに関するタイトル管理領域を参照することにより判定する。ダビング回数に余裕のある同一コンテンツが存在しないと判定した場合には、ダビングを行うことなくダビング処理を終了する。
【０２４０】
ダビング可能回数に余裕のある同一コンテンツが他の領域に存在すると判定した場合には、ドライブ制御部３２０は、同一コンテンツを、ダビング先のマイディスクからｑ回のコピーが可能となるように、ダビングするダビング処理を行い、同一コンテンツのダビング可能回数をｑ回減らす。
【０２４１】
なお、同一コンテンツが他の領域に録画されていない場合、及び、他の領域に録画されている同一コンテンツのダビング可能回数に余裕がないと判定した場合に、ダビングを行うことなくダビング処理を終了する構成を示したが、本発明はこれに限定されるものではない。例えば、コピー対象コンテンツのダビング可能回数に余裕がない旨を表示すると共に、ダビング処理を続行するか否かをユーザーに問い合わせるユーザーインターフェースを表示する構成を採用しても良い。
【０２４２】
なお、上記の説明では、コピー対象コンテンツ、又は、他の領域に録画されているダビング可能回数に余裕のある同一コンテンツのいずれか一方からダビングする構成を示したが、本発明はこれに限定されるものではない。例えば、コピー対象コンテンツ及び同一コンテンツのダビング可能回数を共に減らすことによってダビングする構成を採用しても良い。
【０２４３】
コピー対象コンテンツのダビング可能回数がｓ回であり、余裕（ただし、ｓは２以上の整数とする）がある場合について、図２２を参照して説明する。図２２は、記憶部３４０の領域１に録画されているコンテンツ３のダビング可能回数がｓ回、領域２に録画されているコンテンツ３のダビング可能回数がｐ回である場合に、コンテンツ３をダビング可能回数がｑ回のコンテンツとしてダビングするダビング処理を示す図である。
【０２４４】
図２２に示すように、記憶部３４０の領域１に録画されているコンテンツ３のダビング可能回数がｓ回であり、領域２に録画されているコンテンツ３のダビング可能回数がｐ回であり、マイディスク１にｑ回複製可能なコンテンツとしてダビングする場合、領域１に録画されているコンテンツ３から１回、領域２に録画されているコンテンツ３からｑ−１回ダビングすることで、ダビング先のマイディスク１にダビング可能回数がｑ回のコンテンツとしてダビングされる。このとき、領域１に録画されているコンテンツ３のダビング可能回数を１回減らし、領域２に録画されているコンテンツ３のダビング可能回数をｑ−１回減らす。すなわち、ダビング処理が終了した後の領域１に録画されているコンテンツ３のダビング可能回数はｓ−１回になり、領域２に録画されているコンテンツ３のダビング可能回数はｐ−（ｑ−１）回になる。
【０２４５】
また、コピー対象コンテンツのダビング可能回数をｔ回減らすことでダビングする構成について、図２３を参照して説明する（ただし、ｑ＞ｓとする）。図２３は、記憶部３４０に録画されたコピー対象コンテンツ及び同一コンテンツを、ダビング先のマイディスクから複数回のコピーが可能となるように、ダビングするダビング処理を模式的に示す図である。
【０２４６】
図２３に示すように、記憶部３４０の領域１に録画されているコンテンツ３のダビング可能回数がｓ回であり、領域２に録画されているコンテンツ３のダビング可能回数がｐ回であり、マイディスク１にｑ回複製可能なコンテンツとしてダビングする場合、領域１に録画されているコンテンツ３からｔ（ｔは１以上の整数であり、ｔ＜ｓ）回、領域２に録画されているコンテンツ３からｑ−ｔ回ダビングすることによって、ダビング先のディスク３にダビング可能回数がｑ回のコンテンツとしてダビングされる。このとき、領域１に録画されているコンテンツ３のダビング可能回数をｔ回減らし、領域２に録画されているコンテンツ３のダビング可能回数をｑ−ｔ回減らす。すなわち、ダビング処理が終了した後の領域１に録画されているコンテンツ３のダビング可能回数はｓ−ｔ回になり、領域２に録画されているコンテンツ３のダビング可能回数はｐ−（ｑ−ｔ）回になる。
【０２４７】
これによって、ダビング処理によってダビング可能回数に余裕がなくなり、ムーブによるコピーのみしか行えない状態、又は、これ以上のコピーが不可能（Ｎｏ  Ｍｏｒｅ  Ｃｏｐｙ）な状態になるために、コンテンツが録画されている領域とは他の領域などにバックアップのためダビングを行うことができなくなってしまうことを防ぐことができる。
【０２４８】
さらに、複数の同一コンテンツのダビング可能回数を制御することによって、より流動的なダビング可能回数の制御を行うことができる。例えば、ユーザーが指定したコピー対象コンテンツのダビング可能回数に余裕が少ない場合に、ユーザーが指定しなかった同一コンテンツのダビング可能回数が、ユーザーが想定している以上に現象してしまうことを防ぐことができる。
【０２４９】
なお、ダビング先のマイディスクが１枚の場合を例に挙げて説明したが、もちろん２枚以上のマイディスクにダビングする構成であっても良い。
【０２５０】
なお、各領域に録画されている同一コンテンツのダビング可能回数を減らす回数を、ユーザーが個別に設定できるような構成を採用しても良い。
【０２５１】
以下では、コンテンツのダビング処理におけるダビング可能回数を減らす回数（以下、減少数とも呼称する）の設定方法について、図２４及び図２５を用いて説明する。
【０２５２】
（ダビング可能回数の減少数の設定方法）
まず図２４を参照して、ダビング可能回数の減少数をユーザーが個別に設定する場合の設定方法について説明する。図２４は、ダビング可能回数の減少数をユーザーが個別に設定するための設定画面の一例を示すである。図２４（ａ）は、ダビング可能回数の減少数をユーザーが直接入力する設定画面の一例を示すであり、図２４（ｂ）は、ダビング可能回数の減少数を直接入力した後の確認画面の一例を示すである。
【０２５３】
図２４では、コピー対象コンテンツを「コピー元１」とし、コピー対象コンテンツが録画されている領域とは別の領域に録画されている同一の、コピー対象コンテンツを「コピー元２」と呼称する。
【０２５４】
図２４（ａ）に示すように、設定画面には、各領域に録画されたコピー対象コンテンツ及び同一コンテンツのダビング可能回数、録画モードなど（以降、コンテンツ情報とも呼称する）が表示される。
【０２５５】
ユーザーはリモコンの上下キーなどを操作することで、コピー元１のダビング可能回数の減少数を設定する。このとき、コピー元２のダビング可能回数の減少数は、コピー元１の減少数に連動して設定しても良いし、ユーザーのリモコン操作などによって設定しても良い。コピー元１及びコピー元２のダビング可能回数の減少数を設定した後、決定キーを押すことにより、設定を終了する。
【０２５６】
設定を終了すると、図２４（ｂ）に示すように、ユーザーが設定した各コピー元のダビング可能回数の減少数を確認する確認画面が表示される。ユーザーは、確認画面において「はい」を選択することによって各コピー元のダビング可能回数の減少数を決定する。なお、ユーザーによって「いいえ」が選択された場合には、図２４（ａ）に示す設定画面に戻り、ユーザーによるコピー元１及びコピー元２のダビング可能回数の減少数の設定が継続される。
【０２５７】
ユーザーによって「はい」が選択されると、ダビング処理が実行され、各コピー元のダビング可能回数は設定画面において設定した減少数だけ減少する。
【０２５８】
例えば、図２４（ａ）に示すように、ダビング可能回数が７回であるコピー元１のダビング可能回数の減少数を３回、ダビング可能回数が２回であるコピー元２のダビング可能回数の減少数を１回に設定すると、ダビング処理実行後のコピー元１のダビング可能回数及びコピー元２のダビング可能回数はそれぞれ４回、１回に減少する。
【０２５９】
このようにして、コピー対象コンテンツ及び同一コンテンツのダビング可能回数の減少数を設定することができる。
【０２６０】
なお、設定画面には、コピー対象コンテンツ及び同一コンテンツが録画されている各領域の情報が表示されていても良い。
【０２６１】
次に、図２５を参照して、ダビング可能回数の減少数を自動的に設定する場合の設定方法について説明する。図２５は、自動的に設定されたダビング可能回数の減少数をユーザーに提示するための提示画面の一例を示すである。
【０２６２】
図２５に示すように、提示画面には、自動的に設定されたダビング可能回数の減少数の選択肢が、少なくとも１つ以上表示される。ユーザーによって、提示画面に提示された選択肢のうち、いずれかが選択されると、ダビング処理が実行され、各コピー元のダビング可能回数は提示画面において選択された減少数だけ減少する。
【０２６３】
このようにして、コピー対象コンテンツ及び同一コンテンツのダビング可能回数の減少数を設定することができる。
【０２６４】
なお、提示画面には、自動的に設定されたダビング可能回数の減少数と共に、ユーザーによってダビング可能回数の減少数が設定可能な選択肢を表示しても良い。
【０２６５】
次に、ダビング可能回数の減少数を自動的に設定する際に、いずれのコンテンツのダビング可能回数を優先的に減少させるか（以降、ダビング可能回数を優先的に減少させるコンテンツを、選定コンテンツとも呼称する）を決定する設定方法を図２６から図２８を参照して説明する。
【０２６６】
（録画画質による選定コンテンツの設定）
コピー対象コンテンツのうち、録画画質に基づいていずれかのコンテンツを選定コンテンツとして設定する設定処理の流れについて、図２６を参照して説明する。図２６は、録画画質に基づいて行う選定コンテンツの設定処理の流れを示すフローチャートである。
【０２６７】
バックエンド制御部２４０からダビング処理を行う旨の指示を取得すると、タイトル情報取得部１０は、装填されているマイディスクに対応する記憶部３４０の領域に記録されている各コンテンツのタイトル情報を記憶部２８０のタイトル管理領域から取得し、取得した各タイトル情報をコピー元候補領域特定部２０へ供給する（ステップＳ１０１）。
【０２６８】
コピー元候補領域特定部２０は、記憶部２８０から取得した各タイトル情報に基づいて、装填されているマイディスクに対応する領域と、該タイトル情報に基づいて特定した他のマイディスクに対応する領域とを示す領域情報を判定部３０に通知し、判定部３０は、通知される領域情報に基づいて、タイトル情報取得部１０が取得した各タイトルのコンテンツデータが複数の領域に録画されているか否かを判定する（ステップＳ１０２）。
【０２６９】
タイトル情報取得部１０が取得した各タイトルのコンテンツデータが複数の領域に録画されていると判定した場合（ステップＳ１０２においてＹＥＳ）、判定部３０は、各タイトル情報のタイトル名に関連づけられている録画画質を比較し、録画画質に差異があるか否かの判定を行う（ステップＳ１０３）。
【０２７０】
録画画質に差異があると判定された場合（ステップＳ１０３においてＹＥＳ）、ドライブ制御部３２０は、最も高画質で録画されているコンテンツを、コピー対象コンテンツとして選定されたことを示す選定コンテンツとして仮設定する（ステップＳ１０４）。
【０２７１】
録画画質に差異がないと判定された場合（ステップＳ１０３においてＹＥＳ）、ドライブ制御部３２０は、タイトル情報取得部１０が取得した各タイトルのコンテンツデータのうち、いずれかのコンテンツを選定コンテンツとして仮設定する（ステップＳ１０５）。
【０２７２】
選定コンテンツが仮設定されると、ドライブ制御部３２０は、選定コンテンツをユーザーに選択させるか否かを判定する（ステップＳ１０６）。
【０２７３】
あらかじめ、選定コンテンツをユーザーに選択させるように設定がされている場合（ステップＳ１０６においてＹＥＳ）、仮設定された選定コンテンツを含めたコンテンツを、選定コンテンツの候補として表示装置に表示する（ステップＳ１０７）。
【０２７４】
ドライブ制御部３２０は、表示された選定コンテンツの候補に基づいてユーザーが選択したコンテンツを、選定コンテンツとして決定する（ステップＳ１０８）。
【０２７５】
あらかじめ、選定コンテンツをユーザーに選択させないような設定がされている場合（ステップＳ１０６においてＮＯ）、選定コンテンツとして仮設定したコンテンツを、選定コンテンツとして決定する（ステップＳ１０９）。
【０２７６】
判定部３０においてタイトル情報取得部１０が取得した各タイトルのコンテンツデータが複数の領域に録画されていないと判定した場合（ステップＳ１０２においてＮＯ）、選定コンテンツが決定した場合、選定コンテンツの設定処理を終了する。
【０２７７】
なお、本実施形態では、ステップＳ１０４において、最も高画質で録画されているコンテンツを選定コンテンツとして仮設定する構成を示したが、本発明はこれに限定されるものではなく、例えば、最も低画質で録画されているコンテンツを選定コンテンツとして仮設定する構成を採用しても良い。また、最も高画質で録画されているコンテンツを選定コンテンツとして仮設定するか、最も低画質で録画されているコンテンツを選定コンテンツとして仮設定するかを設定可能な構成を採用しても良い。
【０２７８】
高画質で録画されているコンテンツは、主に次の２つの目的で録画されていることが多い。目的の１つは、コンテンツの視聴を高画質で楽しむことが目的であり、この場合には、１回視聴した後に消去される可能性が高い。これに対し、別の目的としては、高画質なコンテンツを保有することを目的とし、この場合には、コンテンツを長期保存する可能性が高い。
【０２７９】
最も高画質で録画されているコンテンツを選定コンテンツとして仮設定するか、最も低画質で録画されているコンテンツを選定コンテンツとして仮設定するかを設定することにより、その録画の目的をできるだけ損なうことのない選定コンテンツを設定することができる。
【０２８０】
なお、本実施形態では、ステップＳ１０５において、単に、いずれかのコンテンツを選定コンテンツとして仮設定する構成を示したが、本発明はこれに限定されるものではなく、例えば、最初に録画されたコンテンツを選定コンテンツとして仮設定しても良いし、最もダビング可能回数に余裕のあるコンテンツを選定コンテンツとして仮設定する構成を採用しても良い。
【０２８１】
（再生回数による選定コンテンツの設定）
また、各タイトル情報のタイトル名に、録画回数、再生回数など（以降、使用頻度とも呼称する）の情報が関連づけられている場合には、使用頻度の少ないコンテンツを選定コンテンツとして設定しても良い。
【０２８２】
使用頻度の低いコンテンツは、ユーザーにとって重要でないコンテンツ、一時的に保存されたコンテンツ、または、長期保存する目的で保存されたコンテンツ、すなわち、ダビング処理を含む編集処理を行う可能性が低いコンテンツであると考えられるため、使用頻度の低いコンテンツのダビング可能回数が少なくなっても、ユーザーへのデメリットが低く、コンテンツの録画目的をできるだけ損なうことなくダビング処理を行うことができる。
【０２８３】
なお、使用頻度の多いコンテンツを選定コンテンツとして設定しても良い。
【０２８４】
（コンテンツの関連性による選定コンテンツの設定）
また、各タイトル情報のタイトル名に基づいて選定コンテンツを設定する設定処理の流れを、図２７を参照して説明する。図２７は、タイトル名に基づいて行う選定コンテンツの設定処理の流れを示すフローチャートである。
【０２８５】
バックエンド制御部２４０からダビング処理を行う旨の指示を取得すると、タイトル情報取得部１０は、装填されているマイディスクに対応する記憶部３４０の領域に記録されている各コンテンツのタイトル情報を記憶部２８０のタイトル管理領域から取得し、取得した各タイトル情報をコピー元候補領域特定部２０へ供給する（ステップＳ１１１）。
【０２８６】
コピー元候補領域特定部２０は、記憶部２８０から取得した各タイトル情報に基づいて、装填されているマイディスクに対応する領域と、該タイトル情報に基づいて特定した他のマイディスクに対応する領域とを示す領域情報を判定部３０に通知し、判定部３０は、通知される領域情報に基づいて、タイトル情報取得部１０が取得した各タイトルのコンテンツデータが複数の領域に録画されているか否かを判定する（ステップＳ１１２）。
【０２８７】
タイトル情報取得部１０が取得した各タイトルのコンテンツデータが複数の領域に録画されていると判定した場合（ステップＳ１１２においてＹＥＳ）、ドライブ制御部３２０は、コピー対象コンテンツのタイトル名と関連性の高いタイトル名のコンテンツを検索し（ステップＳ１１３）コピー対象コンテンツのタイトル名と関連性の高いタイトル名のコンテンツが録画されているか否かを判定する（ステップＳ１１４）。
【０２８８】
例えば、コンテンツのタイトル情報（コンテンツ１がテレビ番組であるならば「番組名」、コンテンツ１がインターネット経由で配信されるコンテンツであるならば「配信タイトル名」など）が同一か、少なくとも、タイトル情報の一部が同一（例えば、各々のタイトル情報が前方一致する場合）であるならば、連続番組などである可能性が高く、関連性のあるコンテンツとして判定する。
【０２８９】
コピー対象コンテンツのタイトル名と関連性の高いタイトル名のコンテンツが録画されている場合（ステップＳ１１４においてＹＥＳ）、ドライブ制御部３２０は、関連性の高いコンテンツが記録されている領域と同じ領域に記録されているコンテンツを選定コンテンツとして仮設定する（ステップＳ１１５）。
【０２９０】
コピー対象コンテンツのタイトル名と関連性の高いタイトル名のコンテンツが録画されていない場合（ステップＳ１１４においてＹＥＳ）、ドライブ制御部３２０は、タイトル情報取得部１０が取得した各タイトルのコンテンツデータのうち、いずれかのコンテンツを選定コンテンツとして仮設定する（ステップＳ１１６）。
【０２９１】
図２７に示すステップＳ１１７からＳ１２０までの処理は、図２６に示すステップＳ１０６からＳ１０９までの処理と同じである。
【０２９２】
コピー対象コンテンツのタイトル名と関連性の高いタイトル名のコンテンツを検索する方法としては、たとえば、
関連性のあるコンテンツが録画されている領域に記録されているコンテンツは、長期保存を目的としたコンテンツ、すなわち、ダビング処理を含む編集処理を行う可能性が低いコンテンツである可能性が高いため、コンテンツの録画目的をできるだけ損なうことなくダビング処理を行うことができる。
【０２９３】
なお、本実施形態では、ステップＳ１１６において、単に、いずれかのコンテンツを選定コンテンツとして仮設定する構成を示したが、本発明はこれに限定されるものではなく、例えば、最初に録画されたコンテンツを選定コンテンツとして仮設定しても良いし、最もダビング可能回数に余裕のあるコンテンツを選定コンテンツとして仮設定する構成を採用しても良い。
【０２９４】
（管理ユーザー情報による選定コンテンツの設定）
次に、管理ユーザーが存在する場合で、かつ、管理ユーザーが複数存在する場合には各管理ユーザーに優先度が設定されているような場合に、コンテンツ１に対するコピー対象コンテンツのうち、管理ユーザー情報に基づいていずれかのコンテンツを選定コンテンツとして設定する設定処理の流れについて、図２８を参照して説明する。図２８は、管理ユーザー情報に基づいて行う選定コンテンツの設定処理の流れを示すフローチャートである。
【０２９５】
以下では、記憶部３４０の管理領域に、各領域に対して管理ユーザー情報が記録されているような場合であって、各管理ユーザーに優先度が設定されているような場合を例にとり説明を行う。
【０２９６】
バックエンド制御部２４０からダビング処理を行う旨の指示を取得すると、タイトル情報取得部１０は、装填されているマイディスクに対応する記憶部３４０の領域に記録されている各コンテンツのタイトル情報を記憶部２８０のタイトル管理領域から取得し、取得した各タイトル情報をコピー元候補領域特定部２０へ供給する（ステップＳ１３１）。
【０２９７】
コピー元候補領域特定部２０は、記憶部２８０から取得した各タイトル情報に基づいて、装填されているマイディスクに対応する領域と、該タイトル情報に基づいて特定した他のマイディスクに対応する領域とを示す領域情報を判定部３０に通知し、判定部３０は、通知される領域情報に基づいて、タイトル情報取得部１０が取得した各タイトルのコンテンツデータが複数の領域に録画されているか否かを判定する（ステップＳ１３２）。
【０２９８】
判定部３０において、タイトル情報取得部１０が取得した各タイトルのコンテンツデータが複数の領域に録画されている、すなわち、同一コンテンツが異なる領域に録画されていると判定された場合（ステップＳ１３２においてＹＥＳ）、ドライブ制御部３２０は、記憶部３４０の管理領域に記録された管理ユーザー情報を読み込み、同一コンテンツが録画されているそれぞれの領域の管理ユーザーが異なるか否か、すなわち、管理ユーザーが複数存在するか否かを判定する（ステップＳ１３３）。
【０２９９】
管理ユーザーが複数存在すると判定した場合（ステップＳ１３３においてＹＥＳ）、ドライブ制御部３２０は、記憶部３４０の管理領域に記録されている、同一コンテンツが録画されている領域をそれぞれ管理する複数の管理ユーザーに優先度の低いユーザーが存在するか否かを判定する（ステップＳ１３４）。
【０３００】
優先度の低いユーザーが存在すると判定された場合（ステップＳ１３４においてＹＥＳ）、ドライブ制御部３２０は、同一コンテンツのうち、最も優先度の低い管理ユーザーと関連づけられている領域に記録されているコンテンツを、選定コンテンツとして仮設定する（ステップＳ１３５）。
【０３０１】
管理ユーザーが複数でないと判定した場合（ステップＳ１３３においてＮＯ）、または、優先度の低いユーザーが存在しないと判定された場合（ステップＳ１３４においてＮＯ）、ドライブ制御部３２０は、タイトル情報取得部１０が取得した各タイトルのコンテンツデータのうち、いずれかのコンテンツを選定コンテンツとして仮設定する（ステップＳ１３６）。
【０３０２】
図２８に示すステップＳ１３７からＳ１４０までの処理は、図２６に示すステップＳ１０６からＳ１０９までの処理と同じである。
【０３０３】
なお、本実施形態では、ステップＳ１３６において、単に、いずれかのコンテンツを選定コンテンツとして仮設定する構成を示したが、本発明はこれに限定されるものではなく、例えば、最初に録画されたコンテンツを選定コンテンツとして仮設定しても良いし、最もダビング可能回数に余裕のあるコンテンツを選定コンテンツとして仮設定する構成を採用しても良い。
【０３０４】
例えば、ユーザーＡが管理する領域と、ユーザーＢが管理する領域とに同一コンテンツが録画されており、ユーザーＡの優先度がユーザーＢの優先度よりも高い場合、ユーザーＢが管理する領域に録画されているコンテンツを選定コンテンツとして設定することによって、ユーザーＡが管理する領域に録画されているコンテンツのダビング可能回数の減少数をできるだけ少なくすることができる。
【０３０５】
なお、上記の説明では、記憶部３４０の各領域に対して、管理ユーザーが設定されている場合を例に挙げて説明したが、本発明はこれに限定されるものではない。
【０３０６】
例えば、コンテンツが記録されている領域自体ではなく、コンテンツの録画を行ったユーザーを個別に特定することができれば、それぞれの録画を行ったユーザーに対する優先度を比較することで、選定コンテンツを設定するようにしても良い。
【０３０７】
なお、ユーザーを個別に特定する方法としては、ユーザー毎に個別に設定・管理されているリモコンからの操作を検出する事により特定する方法、複製装置の電源ＯＮ時に操作開始する前にユーザー選択をさせることにより特定する方法、パスワードなどの入力によるユーザー認証を行うことにより特定する方法、過去から現在までに録画が実行されたコンテンツと録画を実行したユーザーの関連付けがされた録画履歴情報がバックエンド制御部２４０から参照可能な場所に収納しておき、この情報を基に録画を行っているユーザーを推定することにより特定する方法などを採用することができる。
【０３０８】
また、上記の選定コンテンツの設定処理のようにユーザーの優先度を比較することにより選定コンテンツの設定を行うのではなく、ダビングするコンテンツに対してユーザーに視聴制限が設定されているか否かに基づいて、一番視聴制限のないユーザーの管理する領域に記録されているコンテンツをできるだけ選定コンテンツとして設定しない構成としても良い。
【０３０９】
具体的には、各ユーザーの年齢などの情報を記憶部３４０に記録しておき、コンテンツの視聴年齢制限がある場合には、制限のある年齢から一番年齢の離れているユーザーが管理する領域に録画されているコンテンツのダビング可能回数をできるだけ減少させないよう、選定コンテンツの候補から除外し、制限のある年齢に一番近い年齢のユーザーが管理する領域に記録されているコンテンツを選定コンテンツに設定する。
【０３１０】
なお、視聴制限としては、視聴ユーザーの年齢による制限、コンテンツの放送時間帯による制限などが考えられる。また、上記各ユーザーの年齢などの情報は、具体的には、記憶部３４０におけるマイディスク管理領域の各エントリに記録することが好ましい。
【０３１１】
コンテンツが視聴年齢制限を有するような場合には、マイディスクやバックエンド制御部２４０などにユーザーの年齢や年齢層情報を記録しておくことが好ましい。
【０３１２】
また、コンテンツの放送時間帯による視聴制限がある場合、例えば、深夜時間帯におけるダビングに対する制限が設定されているユーザーが管理・使用する領域に記録されているコンテンツは、たとえ録画予約されたコンテンツ自体が深夜時間帯に放送されない場合であったとしても選定コンテンツの候補として設定することが好ましい。
【０３１３】
視聴制限のあるユーザーは、図１８において説明した優先度が低いユーザーであると推定される。このため、優先度が高いと推定されるユーザーが管理・使用している領域に録画されているコンテンツのダビング可能回数をできるだけ減少させないようにすることができる。
【０３１４】
なお、上述した選定コンテンツの設定処理は個別に実行しても良いし、いくつかの設定処理の方法を組み合わせて実行しても良い。その際、いくつかの判定条件を総合的に判断して選定コンテンツを設定するようにしても良い。
【０３１５】
また、ドライブ制御部３２０が選定コンテンツの設定処理により選定コンテンツの設定しても良いし、幾つかの選択肢としてユーザーに提示した上で、異なる領域に録画されている同一コンテンツのダビング可能回数の減少数を選択させるようにしても良い。
【０３１６】
これによって、ユーザーがダビング可能回数を優先的に残したいコンテンツ、管理ユーザー情報またはコンテンツ情報などから自動的に選定コンテンツ情報から除外したコンテンツなどのうち、今後これ以上ダビングすることがないと推定されるコンテンツのダビング可能回数を不必要に確保することなく、ユーザーにとって本当に重要であると推定されるコンテンツのダビング可能回数を確保した状態でコンテンツのダビング処理を行うことができる。
【０３１７】
なお、同一コンテンツを記憶部３４０の複数の領域に録画するために複数のチューナーを使用して、それぞれのチューナーから受信した同一コンテンツを録画することを例に挙げて説明したが、これに限定されない。
【０３１８】
例えば、同一内容のテレビ番組が別の日時に再放送されたり、少なくともテレビ番組の主要部分が同一コンテンツであるテレビ番組が地上波放送、衛星放送など放送形態を変えて複数回放送されていることがある（テレビ番組がドラマであるとき、再放送では次回予告の内容が削除されている場合、番組の途中に挿入されるＣＭが別の内容になっている場合があるため、テレビ番組の主要部分とは、例えば、次回予告、ＣＭなどを除いた部分である）。このように、異なる日時にテレビ番組を録画する場合には、チューナーを１つしか備えないレコーダ装置であっても、コンテンツ情報や番組表情報などを基に同一コンテンツと推定可能なコンテンツを複数録画することが可能である。このような録画日時、録画チャンネルなどが異なるコンテンツであるにも関わらず、同一コンテンツと推定可能なコンテンツが録画されている場合にも、同一コンテンツが複数の領域に対して録画されている場合と同様に、本発明を適用することが可能である。
【０３１９】
さらに、異なる領域に対して録画されている同一コンテンツは、テレビ番組（デジタルテレビ放送番組）に限定されるものではなく、例えば、ネットワークを介して取得された配信コンテンツであっても良い。
【０３２０】
また、ダビング処理はユーザーの操作によるリアルタイム処理に限定されるものではなく、例えば、レコーダ装置１００が使用されていない時間帯（例えば、深夜から早朝の間）に実行されるように設定されたダビング処理であっても良い。
【０３２１】
この場合、同一コンテンツが異なる領域に録画されているか否か、コピー対象コンテンツのダビング可能回数に余裕があるか否かの判定、及び、同一コンテンツが異なる領域に録画されているときにコピー対象コンテンツのダビング可能回数より、異なる領域に録画されている同一コンテンツのダビング可能回数に余裕があるか否かの判定は、ダビング処理の直前に行う必要はない。すなわち、これらの判定は、ダビング処理の予約から実際にダビング処理が行われるまでの時間に判定すれば良い。
〔実施形態３〕
上記の実施形態においては、特定のマイディスクが１枚である場合について説明を行ったが、本発明はこれ限られるものではなく、特定のマイディスクが複数枚あるような場合であっても、本発明を適用することが可能である。
【０３２２】
＜同一コンテンツからのダビング処理＞
次に、コンテンツ３を２枚のマイディスクのそれぞれにコピー可能なコンテンツとしてダビングするダビング処理を、図２１を参照して説明する。図２１は、記憶部３４０に録画された同一コンテンツ３を、ダビング先のマイディスクから複数回のコピーが可能となるように、合計２枚のマイディスク（マイディスク１、マイディスク２）にダビングするダビング処理を模式的に示す図である。
【０３２３】
図２１に示すように、マイディスク１にコピーされたコンテンツ１は、これ以上のコピーが不可能（Ｎｏ  Ｍｏｒｅ  Ｃｏｐｙ）なコンテンツではなく、マイディスク１に基づくダビングが回ｑ（コピー（ｑ−１）回＋ムーブ１回）まで可能なコンテンツである。また、マイディスク２にコピーされたコンテンツ３は、マイディスク２に基づくダビングがｒ回（コピー（ｒ−１）回＋ムーブ１回）まで可能なコンテンツである。
【０３２４】
図２１に示すように、記憶部３４０の領域１に録画されているコンテンツ３のダビング可能回数が１回であり、領域２に録画されているコンテンツ３のダビング可能回数がｐ回である場合には、領域１に録画されているコンテンツ３はダビングされず、領域２に録画されているコンテンツ３がダビング先のマイディスク１にダビング可能回数がｑ回のコンテンツとしてダビングされる。また、領域２に録画されているコンテンツ３がダビング先のマイディスク２にダビング可能回数がｒ回のコンテンツとしてダビングされる。このとき、領域２に録画されているコンテンツ３のダビング可能回数をｑ＋ｒ回減らす。すなわち、ダビング処理が終了した後の領域２に録画されているコンテンツ３のダビング可能回数は、ｐ−（ｑ＋ｒ）回になる。
【０３２５】
なお、２枚のマイディスクのそれぞれにコピー可能なコンテンツとしてダビングするダビング処理を例に挙げて説明したが、これに限定されるものではなく、もちろん、３枚以上のマイディスクのそれぞれにコピー可能なコンテンツとしてダビングしても良い。
【０３２６】
（付記事項）
なお、各実施形態では、同一コンテンツが記憶部３４０の複数の領域に録画されている場合に、コンテンツの複写許諾回数に余裕のある領域から、装填されているマイディスクにコンテンツをコピーするレコーダ装置１００について説明したが、本発明はレコーダ装置１００に限定されない。
【０３２７】
すなわち、例えば、ドライブ制御部３２０をコピー制御手段として説明したが、記憶部２８０に録画されているコンテンツのタイトル情報を参照可能であれば、バックエンド制御部２４０を含めて、制御処理機能を有する他の制御部をコピー制御手段として動作させても良い。
【０３２８】
また、例えば、光ディスクドライブを内蔵したダビング装置であって、同一コンテンツが複数のハードディスク（第１の記録媒体）に録画されている場合に、コンテンツの複写許諾回数に余裕のあるハードディスクから、光ディスクドライブに装填されている光ディスクにコンテンツをコピーするようなダビング装置により、本発明を実現しても良い。また、複数のハードディスクは、すべてダビング装置の内部に備えられていても良いし、複数のハードディスクの一部または全部がダビング装置とネットワークを介して通信可能に接続された外部の記録装置（例えば、ＮＡＳ）に内蔵されたものであっても良い。
【０３２９】
（プログラムおよび記録媒体）
レコーダ装置１００に含まれているバックエンド制御部２４０およびドライブ制御部３２０は、ハードウェアロジックによって構成すれば良い。または、次のように、ＣＰＵ（Central Processing Unit）を用いてソフトウェアによって実現しても良い。
【０３３０】
すなわち、バックエンド制御部２４０およびドライブ制御部３２０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０３３１】
そして、本発明の目的は、バックエンド制御部２４０およびドライブ制御部３２０のプログラムメモリに固定的に担持されている場合に限らず、上記プログラムのプログラムコード（実行形式プログラム、中間コードプログラム、または、ソースプログラム）を記録した記録媒体をレコーダ装置１００に供給し、レコーダ装置１００が上記記録媒体に記録されている上記プログラムコードを読み出して実行することによっても、達成可能である。
【０３３２】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０３３３】
また、バックエンド制御部２４０およびドライブ制御部３２０（またはレコーダ装置１００）を通信ネットワークと接続可能に構成しても、本発明の目的を達成できる。この場合、上記のプログラムコードを、通信ネットワークを介してバックエンド制御部２４０およびドライブ制御部３２０に供給する。この通信ネットワークはバックエンド制御部２４０およびドライブ制御部３２０にプログラムコードを供給できるものであれば良く、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であれば良い。
【０３３４】
この通信ネットワークを構成する伝送媒体も、プログラムコードを伝送可能な任意の媒体であれば良く、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０３３５】
また、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３３６】
本発明に係る複製装置は、ＢＤレコーダまたはＤＶＤレコーダとして好適に利用することができる。
【符号の説明】
【０３３７】
１０        タイトル情報取得部
２０        コピー元候補領域特定部
３０        判定部
１００      レコーダ装置（複製装置）
２００      バックエンド部（指示受付手段）
２１０      チューナー部
２２０      エンコーダ部
２３０      ストリーム処理部
２４０      バックエンド制御部
２５０      バッファ部
２６０      デコーダ部
２７０      画像処理部
２８０      記憶部
２９０      インターフェース部
３００      ドライブ部
３１０      インターフェース部
３２０      ドライブ制御部（コピー制限手段）
３３０      ディスクドライブ部（コピー手段）
３４０      記憶部
【図１】
2012038376.tif 000003
【図２】
2012038376.tif 000004
【図３】
2012038376.tif 000005
【図４】
2012038376.tif 000006
【図５】
2012038376.tif 000007
【図６】
2012038376.tif 000008
【図７】
2012038376.tif 000009
【図８】
2012038376.tif 000010
【図９】
2012038376.tif 000011
【図１０】
2012038376.tif 000012
【図１１】
2012038376.tif 000013
【図１２】
2012038376.tif 000014
【図１３】
2012038376.tif 000015
【図１４】
2012038376.tif 000016
【図１５】
2012038376.tif 000017
【図１６】
2012038376.tif 000018
【図１７】
2012038376.tif 000019
【図１８】
2012038376.tif 000020
【図１９】
2012038376.tif 000021
【図２０】
2012038376.tif 000022
【図２１】
2012038376.tif 000023
【図２２】
2012038376.tif 000024
【図２３】
2012038376.tif 000025
【図２４】
2012038376.tif 000026
【図２５】
2012038376.tif 000027
【図２６】
2012038376.tif 000028
【図２７】
2012038376.tif 000029
【図２８】
2012038376.tif 000030